(57)【特許請求の範囲】
【請求項１】
ユーザ機器（ＵＥ）におけるワイヤレス通信の方法であって、
共有周波数帯域の周波数チャネル上で発展型ノードＢ（ｅＮＢ）と通信することと、  前記共有周波数帯域の前記周波数チャネル上で前記ｅＮＢからデータ送信を受信することと、
前記データ送信のための肯定応答／否定応答（ＡＣＫ／ＮＡＣＫ）情報を決定することと、
前記共有周波数帯域の前記周波数チャネルを介してクリアチャネルアセスメント（ＣＣＡ）免除フィードバック送信中で前記ＡＣＫ／ＮＡＣＫ情報を前記ｅＮＢに送信すること、ここにおいて、前記ＡＣＫ／ＮＡＣＫ情報が、前記ＣＣＡ免除フィードバック送信のためのアップリンク制御チャネル構造の指定されたリソースにマッピングされる、と、
前記共有周波数帯域の前記周波数チャネル上で送信のためのフィードバックを与えるためのフィードバック構成を受信すること、ここにおいて、前記フィードバック構成が、前記ＣＣＡ免除フィードバック送信、ＣＣＡ順守フィードバック送信、またはそれらの組合せ中で前記フィードバックを与えることを示す、と
を備える、方法。
【請求項２】
アップリンクスケジューリングフィードバックまたはチャネル状態情報（ＣＳＩ）フィードバックを決定することと、
前記ＣＣＡ免除フィードバック送信中で前記アップリンクスケジューリングフィードバックまたは前記ＣＳＩフィードバックを送信することと
をさらに備える、請求項１に記載の方法。
【請求項３】
前記データ送信に関連する１つまたは複数の基準信号のチャネル測定に少なくとも部分的に基づいて、後続のデータ送信のためのターゲット変調およびコーディング方式（ＭＣＳ）を決定することをさらに備え、
ここにおいて、前記送信されたＣＳＩフィードバックが、前記ターゲットＭＣＳに関連するインジケータを備える、
請求項２に記載の方法。
【請求項４】
前記データ送信のための現在のＭＣＳを識別することと、
前記現在のＭＣＳと前記ターゲットＭＣＳとの間のチャネル品質デルタを決定することとをさらに備え、
ここにおいて、前記ターゲットＭＣＳに関連する前記インジケータが前記チャネル品質デルタを備える、
請求項３に記載の方法。
【請求項５】
前記１つまたは複数の基準信号が、セル固有基準信号（ＣＲＳ）、復調基準信号（ＤＭ−ＲＳ）、ＵＥ固有基準信号（ＵＥ−ＲＳ）、またはそれらの組合せのうちのいずれかを備える、請求項３に記載の方法。
【請求項６】
前記後続のデータ送信のための前記ターゲットＭＣＳを前記決定することが、前記データ送信のための識別されたプリコーディング行列と前記ＣＲＳとに少なくとも部分的に基づいて、前記ｅＮＢからのチャネルの品質を推定することを備える、請求項５に記載の方法。
【請求項７】
前記アップリンク制御チャネル構造が、前記共有周波数帯域の前記周波数チャネルの周波数リソースのサブセットを備える、請求項１に記載の方法。
【請求項８】
前記ＣＣＡ免除フィードバック送信の開始が、前記データ送信の終了から所定のＣＣＡ時間期間未満に発生する、請求項１に記載の方法。
【請求項９】
前記共有周波数帯域の前記周波数チャネルが、スタンドアロン動作モードで前記ＵＥのために構成された拡張コンポーネントキャリア（ｅＣＣ）を備える、請求項１に記載の方法。
【請求項１０】
ワイヤレス通信のための装置であって、
プロセッサと、
前記プロセッサと電子通信しているメモリと、
前記メモリに記憶され、前記プロセッサによって実行されると、前記装置に、
共有周波数帯域の周波数チャネル上で発展型ノードＢ（ｅＮＢ）と通信することと、
前記共有周波数帯域の前記周波数チャネル上で前記ｅＮＢからデータ送信を受信することと、
前記データ送信のための肯定応答／否定応答（ＡＣＫ／ＮＡＣＫ）情報を決定することと、
前記共有周波数帯域の前記周波数チャネルを介してクリアチャネルアセスメント（ＣＣＡ）免除フィードバック送信中で前記ＡＣＫ／ＮＡＣＫ情報を前記ｅＮＢに送信すること、ここにおいて、前記ＡＣＫ／ＮＡＣＫ情報が、前記ＣＣＡ免除フィードバック送信のためのアップリンク制御チャネル構造の指定されたリソースにマッピングされる、と、
前記共有周波数帯域の前記周波数チャネル上で送信のためのフィードバックを与えるためのフィードバック構成を受信すること、ここにおいて、前記フィードバック構成が、前記ＣＣＡ免除フィードバック送信、ＣＣＡ順守フィードバック送信、またはそれらの組合せ中で前記フィードバックを与えることを示す、と
を行わせるように動作可能である命令と、
を備える、装置。
【請求項１１】
前記命令が、
アップリンクスケジューリングフィードバックまたはチャネル状態情報（ＣＳＩ）フィードバックを決定することと、
前記クリアチャネルアセスメント（ＣＣＡ）免除フィードバック送信中で前記アップリンクスケジューリングフィードバックまたは前記ＣＳＩフィードバックを送信することと
を行わせるように動作可能である、請求項１０に記載の装置。
【請求項１２】
前記命令が、
前記データ送信に関連する１つまたは複数の基準信号のチャネル測定に少なくとも部分的に基づいて、後続のデータ送信のためのターゲット変調およびコーディング方式（ＭＣＳ）を決定させるように動作可能であり、
ここにおいて、前記送信されたＣＳＩフィードバックが、前記ターゲットＭＣＳに関連するインジケータを備える、
請求項１１に記載の装置。
【請求項１３】
前記命令が、
前記データ送信のための現在のＭＣＳを識別することと、
前記現在のＭＣＳと前記ターゲットＭＣＳとの間のチャネル品質デルタを決定することと
を行わせるように動作可能であり、ここにおいて、前記ターゲットＭＣＳに関連する前記インジケータが前記チャネル品質デルタを備える、
請求項１２に記載の装置。
【請求項１４】
前記１つまたは複数の基準信号が、セル固有基準信号（ＣＲＳ）、復調基準信号（ＤＭ−ＲＳ）、ＵＥ固有基準信号（ＵＥ−ＲＳ）、またはそれらの組合せのうちのいずれかを備える、請求項１２に記載の装置。
【請求項１５】
前記後続のデータ送信のための前記ターゲットＭＣＳを前記決定することが、前記データ送信のための識別されたプリコーディング行列と前記ＣＲＳとに少なくとも部分的に基づいて、前記ｅＮＢからのチャネルの品質を推定することを備える、請求項１４に記載の装置。
【発明の詳細な説明】
【技術分野】
【０００１】
相互参照
[0001]本特許出願は、各々が本出願の譲受人に譲渡された、２０１６年４月２８日に出願された、「Channel Feedback Reporting for Shared Frequency Spectrum」と題する、Ｙｏｏらによる米国特許出願第１５／１４１，３９８号、および２０１５年５月７日に出願された、「Channel Feedback Reporting for CCs」と題する、Ｙｏｏらによる米国仮特許出願第６２／１５８，４１２号の優先権を主張する。
【０００２】
[0002]以下は、一般にワイヤレス通信に関し、より詳細には、共有周波数スペクトルのためのチャネルフィードバック報告に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、第１のワイヤレス多元接続通信システムは、ＬＴＥ（登録商標）など、無線アクセス技術（ＲＡＴ）に従って動作し得、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。第２のワイヤレス多元接続通信システムは、Ｗｉ−Ｆｉ（登録商標）など、異なるＲＡＴに従って動作し得、各々が複数のモバイルデバイスまたは局（ＳＴＡ）のための通信を同時にサポートする、いくつかの基地局またはアクセスポイント（ＡＰ）を含み得る。ＡＰは、ダウンストリームおよびアップストリームリンク上でＳＴＡと通信し得る。いくつかの場合には、両方のタイプの通信システムは、互いの存在下で動作し得、共有リソースを使用し得る。
【０００５】
[0005]Ｗｉ−Ｆｉなど、ワイヤレスローカルエリアネットワーク（ＷＬＡＮ）では、ＡＰは、共有無線周波数スペクトル上で複数のＳＴＡと通信し得る。ＳＴＡは、制御フレームの交換を介した通信リンクの確認が、近くの通信デバイスが受ける干渉を制限するように、通信リンクを確立するより前に１つまたは複数の制御フレームを通信することを含む競合プロシージャを使用し得る。そのような技法の一例としては、たとえば、別のデバイス（たとえば、別のＳＴＡまたはＡＰ）と通信することを期待するＳＴＡがそのデバイスにＲＴＳフレームを最初に送り得る、送信要求（ＲＴＳ：Request to Send）および送信可（ＣＴＳ：Clear to Send）メッセージングがある。受信側デバイスがＲＴＳフレームを受信すると、受信側デバイスは、ＣＴＳフレームを送ることによって通信リンクを確認し得る。ＣＴＳフレームがＳＴＡによって受信された後、ＳＴＡは、次いで、受信側デバイスにデータを送信し始め得る。このようにして、ＲＴＳ／ＣＴＳメッセージングは、ＳＴＡまたはＡＰなど、デバイスが、本質的に、ＡＰまたはＳＴＡにデータを送信する前に通信経路をクリアすることを可能にすることによって、フレーム衝突を低減することができる。
【０００６】
[0006]ＬＴＥネットワークでは、基地局とＵＥとは、セルラーネットワークの無線周波数スペクトルの異なる周波数帯域（たとえば、専用無線周波数帯域および共有無線周波数帯域）上で、または専用周波数スペクトル上で通信し得る。専用（たとえば、認可）無線周波数帯域を使用するセルラーネットワークにおけるデータトラフィックの増加とともに、少なくとも一部のデータトラフィックの、共有（たとえば、無認可）無線周波数スペクトルへのオフローディングは、セルラー事業者に拡張データ送信容量のための機会を与え得る。共有無線周波数スペクトルはまた、専用無線周波数スペクトルへのアクセスが利用不可能であるエリア中でサービスを与え得る。共有周波数スペクトル中での動作のために構成されたＬＴＥデバイスは、ＬＴＥ無認可（ＬＴＥ−Ｕ：LTE-Unlicensed）デバイスであると見なされ得る。ＬＴＥ−Ｕデバイスは、共有無線周波数スペクトル中のスタンドアロンキャリアを使用して、または専用無線周波数スペクトルに加えて共有無線周波数スペクトルを使用して、専用無線周波数スペクトル中での動作のために構成され得る。
【０００７】
[0007]共有無線周波数スペクトルへのアクセスを獲得し、共有無線周波数スペクトル上で通信するより前に、基地局またはＵＥは、共有無線周波数スペクトルへのアクセスを求めて競合するために、リッスンビフォアトーク（ＬＢＴ：listen before talk）プロシージャを実行し得る。このＬＢＴプロシージャは、共有無線周波数スペクトルへのアクセスを獲得するためにＷｉ−Ｆｉデバイスによって使用される競合プロシージャに適合し得る。ＬＢＴプロシージャは、共有無線周波数スペクトルのチャネルが利用可能であるかどうかを決定するために、クリアチャネルアセスメント（ＣＣＡ：clear channel assessment）プロシージャを実行することを含み得る。ＵＥまたは基地局は、チャネルが占有されるかどうかを検出するために、ＣＣＡ中に最初にチャネルを監視するので、ＵＥまたは基地局は、各ＬＢＴプロシージャを用いてチャネルの制御を得ないことがある。
【０００８】
[0008]いくつかの場合には、ＬＴＥ／ＬＴＥ−Ｕ  ＵＥなど、デバイスは、制御情報（たとえば肯定応答（ＡＣＫ）／否定ＡＣＫ（ＮＡＣＫ）、チャネル状態情報（ＣＳＩ）など）を対応するＬＴＥ／ＬＴＥ−Ｕ基地局に周期的にまたは非周期的に報告し得る。周期的報告の場合、ＵＥは、基地局によって明示された間隔に従って制御情報を送り得、非周期的報告の場合、ＵＥは、基地局からトリガを受信したことに応答して制御情報を送り得る。しかしながら、上述のように、ＵＥは、指定された間隔に対応する期間について、ＬＢＴプロシージャを実行した後にチャネルの制御を得ることに失敗し得る。したがって、ＵＥは、様々な状況の下で制御情報を基地局に送信することに失敗し得る。非周期的報告の場合、ＵＥが、成功したＬＢＴプロシージャを実行するまで、ＵＥは、制御情報を報告することに失敗し得る。遅延したまたは失敗した制御フィードバック報告は、ネットワークが現在のチャネル推定値を作成するのを妨げ、その結果、リンク性能またはスループットを減少させ得る。
【発明の概要】
【０００９】
[0009]デバイスは、共有スペクトル上での制御情報報告をサポートするために拡張報告機構を使用し得る。いくつかの場合には、デバイスは、データ送信のために拡張コンポーネントキャリア（ｅＣＣ）を利用し得る。一例では、デバイスは、ＣＣＡ免除送信（ＣＥＴ：CCA exempt transmission）を使用して、制御情報（たとえば、ＡＣＫ／ＮＡＣＫ、ＣＳＩなど）を対応するデバイスに送信し得る。別の例では、デバイスは制御情報を準周期的に報告し得る。たとえば、ＵＥは、明示された周期的ＣＳＩ報告間隔と制御フィードバックウィンドウとで構成され得る。周期的ＣＳＩ報告間隔は、周期的ＣＳＩを報告するための特定のＴＴＩを指定し得るが、制御フィードバックウィンドウは、ＵＥが制御情報をその間に送信し得る指定されたＴＴＩより前のまたはその後の持続時間を与え得る。たとえば、ＵＥは、チャネルへのアクセスを獲得するためにＬＢＴプロシージャを実行し、指定された報告ＴＴＩのある時間期間内にあるか、または指定された報告ＴＴＩを含む、制御フィードバックウィンドウの最初に周期的ＣＳＩ報告を送信し得る。ＬＢＴプロシージャは、周期的ＣＳＩフィードバックを送信するためのチャネルを予約するためにＣＣＡプロシージャを実行することの複数の試みを含み得る。
【００１０】
[0010]ワイヤレス通信の方法が説明される。本方法は、共有周波数帯域の周波数チャネル上でｅＮＢと通信することと、共有周波数帯域の周波数チャネル上でｅＮＢからデータ送信を受信することと、データ送信のためのＡＣＫ／ＮＡＣＫ情報を決定することと、共有周波数帯域の周波数チャネル上でクリアチャネルアセスメント（ＣＣＡ）免除フィードバック送信中でＡＣＫ／ＮＡＣＫ情報をｅＮＢに送信することと、ここにおいて、ＡＣＫ／ＮＡＣＫ情報が、ＣＣＡ免除フィードバック送信のためのアップリンク制御チャネル構造の指定されたリソースにマッピングされる、を含み得る。
【００１１】
[0011]ワイヤレス通信のための装置が説明される。本装置は、共有周波数帯域の周波数チャネル上でｅＮＢと通信するための手段と、共有周波数帯域の周波数チャネル上でｅＮＢからデータ送信を受信するための手段と、データ送信のためのＡＣＫ／ＮＡＣＫ情報を決定するための手段と、ＣＣＡ免除フィードバック送信中でＡＣＫ／ＮＡＣＫ情報をｅＮＢに送信するための手段と、ここにおいて、ＡＣＫ／ＮＡＣＫ情報が、ＣＣＡ免除フィードバック送信のためのアップリンク制御チャネル構造の指定されたリソースにマッピングされる、を含み得る。
【００１２】
[0012]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、共有周波数帯域の周波数チャネルを使用してｅＮＢと通信することと、共有周波数帯域の周波数チャネル上でｅＮＢからデータ送信を受信することと、データ送信のためのＡＣＫ／ＮＡＣＫ情報を決定することと、共有周波数帯域の周波数チャネルを介してＣＣＡ免除フィードバック送信中でＡＣＫ／ＮＡＣＫ情報をｅＮＢに送信することと、ここにおいて、ＡＣＫ／ＮＡＣＫ情報が、ＣＣＡ免除フィードバック送信のためのアップリンク制御チャネル構造の指定されたリソースにマッピングされる、を行わせるように動作可能である。
【００１３】
[0013]ワイヤレス通信のためのコードを記憶する非一時的コンピュータ可読媒体が説明される。コードは、共有周波数帯域の周波数チャネルを使用してｅＮＢと通信することと、共有周波数帯域の周波数チャネル上でｅＮＢからデータ送信を受信することと、データ送信のためのＡＣＫ／ＮＡＣＫ情報を決定することと、共有周波数帯域の周波数チャネルを介してＣＣＡ免除フィードバック送信中でＡＣＫ／ＮＡＣＫ情報をｅＮＢに送信することと、ここにおいて、ＡＣＫ／ＮＡＣＫ情報が、ＣＣＡ免除フィードバック送信のためのアップリンク制御チャネル構造の指定されたリソースにマッピングされる、を行うために実行可能な命令を含み得る。
【００１４】
[0014]本明細書で説明される方法、装置、または非一時的コンピュータ可読媒体のいくつかの例は、アップリンクスケジューリングフィードバックまたはチャネル状態情報（ＣＳＩ）フィードバックを決定することと、ＣＣＡ免除フィードバック送信中でアップリンクスケジューリングフィードバックまたはＣＳＩフィードバックを送信することとを行うためのプロセス、特徴、手段、または命令をさらに含み得る。追加または代替として、いくつかの例は、現在のデータ送信に関連する１つまたは複数の基準信号のチャネル測定に少なくとも部分的に基づいて、後続のデータ送信のためのターゲット変調およびコーディング方式（ＭＣＳ：modulation and coding scheme）を決定することを行うためのプロセス、特徴、手段、または命令を含み得、送信されたＣＳＩフィードバックは、ターゲットＭＣＳに関連するインジケータを備える。
【００１５】
[0015]本明細書で説明される方法、装置、または非一時的コンピュータ可読媒体のいくつかの例は、データ送信のための現在のＭＣＳを識別することと、現在のＭＣＳとターゲットＭＣＳとの間のチャネル品質デルタを決定することとを行うためのプロセス、特徴、手段、または命令をさらに含み得、ターゲットＭＣＳに関連するインジケータはチャネル品質デルタを備える。追加または代替として、いくつかの例では、１つまたは複数の基準信号は、セル固有基準信号（ＣＲＳ：cell-specific reference signal）、復調基準信号（ＤＭ−ＲＳ：demodulation reference signal）、ＵＥ固有基準信号（ＵＥ−ＲＳ：UE-specific reference signal）、またはそれらの組合せのうちのいずれかを備える。
【００１６】
[0016]本明細書で説明される方法、装置、または非一時的コンピュータ可読媒体のいくつかの例では、後続のデータ送信のためのターゲットＭＣＳを決定することは、現在のデータ送信のための識別されたプリコーディング行列とＣＲＳとに少なくとも部分的に基づいて、ｅＮＢからのチャネルの品質を推定することを備える。いくつかの例では、アップリンク制御チャネル構造は、共有周波数帯域の周波数チャネルの周波数リソースのサブセットを備える。追加または代替として、いくつかの例では、ＣＣＡ免除フィードバック送信の開始は、データ送信の終了から所定のＣＣＡ時間期間未満に発生する。
【００１７】
[0017]本明細書で説明される方法、装置、または非一時的コンピュータ可読媒体のいくつかの例では、共有周波数帯域の周波数チャネルは、スタンドアロン動作モードでＵＥのために構成されたｅＣＣを備える。追加または代替として、いくつかの例は、共有周波数帯域の周波数チャネルを介して送信のためのフィードバックを与えるためのフィードバック構成を受信するためのプロセス、特徴、手段、または命令を含み得、ここにおいて、フィードバック構成は、ＣＣＡ免除フィードバック送信、ＣＣＡ順守（CCA-compliant）フィードバック送信、またはそれらの組合せ中でフィードバックを与えることを示す。
【００１８】
[0018]ワイヤレス通信の方法が説明される。本方法は、ＣＳＩフィードバック構成に少なくとも部分的に基づいて、共有周波数帯域上でスタンドアロン動作モードで動作するＣＣのための第１のＣＳＩフィードバックを送信することに関連する送信時間間隔（ＴＴＩ：transmission time interval）を識別することと、ＣＣを介した通信のために共有周波数帯域の１つまたは複数のチャネルを予約する、ｅＮＢからの送信を識別することと、送信が、明示された持続時間にわたるＣＣのための時分割複信（ＴＤＤ）構成を識別する、識別されたＴＴＩに関係するアップリンク送信ウィンドウのタイミング特性に少なくとも部分的に基づいて、第１のＣＳＩフィードバックを送信するために、明示された持続時間中の１つまたは複数のアップリンク送信ウィンドウのうちのアップリンク送信ウィンドウを決定することと、アップリンク送信ウィンドウ中に第１のＣＳＩフィードバックを送信するためにＣＳＩフィードバック送信プロシージャを実行することとを含み得る。
【００１９】
[0019]ワイヤレス通信のための装置が説明される。本装置は、ＣＳＩフィードバック構成に少なくとも部分的に基づいて、共有周波数帯域上でスタンドアロン動作モードで動作するＣＣのための第１のＣＳＩフィードバックを送信することに関連するＴＴＩを識別するための手段と、ＣＣを介した通信のために共有周波数帯域の１つまたは複数のチャネルを予約する、ｅＮＢからの送信を識別するための手段と、送信が、明示された持続時間にわたるＣＣのためのＴＤＤ構成を識別する、識別されたＴＴＩに関係するアップリンク送信ウィンドウのタイミング特性に少なくとも部分的に基づいて、第１のＣＳＩフィードバックを送信するために、明示された持続時間中の１つまたは複数のアップリンク送信ウィンドウのうちのアップリンク送信ウィンドウを決定するための手段と、アップリンク送信ウィンドウ中に第１のＣＳＩフィードバックを送信するためにＣＳＩフィードバック送信プロシージャを実行するための手段とを含み得る。
【００２０】
[0020]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、ＣＳＩフィードバック構成に少なくとも部分的に基づいて、共有周波数帯域上でスタンドアロン動作モードで動作するＣＣのための第１のＣＳＩフィードバックを送信することに関連するＴＴＩを識別することと、ＣＣを介した通信のために共有周波数帯域の１つまたは複数のチャネルを予約する、ｅＮＢからの送信を識別することと、送信が、明示された持続時間にわたるＣＣのためのＴＤＤ構成を識別する、識別されたＴＴＩに関係するアップリンク送信ウィンドウのタイミング特性に少なくとも部分的に基づいて、第１のＣＳＩフィードバックを送信するために、明示された持続時間中の１つまたは複数のアップリンク送信ウィンドウのうちのアップリンク送信ウィンドウを決定することと、アップリンク送信ウィンドウ中に第１のＣＳＩフィードバックを送信するためにＣＳＩフィードバック送信プロシージャを実行することとを行わせるように動作可能である。
【００２１】
[0021]ワイヤレス通信のためのコードを記憶する非一時的コンピュータ可読媒体が説明される。コードは、ＣＳＩフィードバック構成に少なくとも部分的に基づいて、共有周波数帯域上でスタンドアロン動作モードで動作するＣＣのための第１のＣＳＩフィードバックを送信することに関連するＴＴＩを識別することと、ＣＣを介した通信のために共有周波数帯域の１つまたは複数のチャネルを予約する、ｅＮＢからの送信を識別することと、送信が、明示された持続時間にわたるＣＣのためのＴＤＤ構成を識別する、識別されたＴＴＩに関係するアップリンク送信ウィンドウのタイミング特性に少なくとも部分的に基づいて、第１のＣＳＩフィードバックを送信するために、明示された持続時間中の１つまたは複数のアップリンク送信ウィンドウのうちのアップリンク送信ウィンドウを決定することと、アップリンク送信ウィンドウ中に第１のＣＳＩフィードバックを送信するためにＣＳＩフィードバック送信プロシージャを実行することとを行うために実行可能な命令を含み得る。
【００２２】
[0022]本明細書で説明される方法、装置、または非一時的コンピュータ可読媒体のいくつかの例では、ＣＳＩフィードバック送信プロシージャは、アップリンク送信ウィンドウの第１のアップリンクＴＴＩ中に１つまたは複数のチャネル上で第１のＣＣＡ順守フィードバック送信プロシージャを実行することを備える。追加または代替として、いくつかの例では、ＣＳＩフィードバック送信プロシージャは、第１のＣＣＡ順守フィードバック送信プロシージャに少なくとも部分的に基づいて、１つまたは複数のチャネルの成功した予約時に第１のＣＳＩフィードバックを送信することを備える。
【００２３】
[0023]本明細書で説明される方法、装置、または非一時的コンピュータ可読媒体のいくつかの例では、ＣＳＩフィードバック送信プロシージャは、第１のＣＣＡ順守フィードバック送信プロシージャに少なくとも部分的に基づいて、１つまたは複数のチャネルが第１のアップリンクＴＴＩ中にビジーであると決定することを備え、ＣＳＩフィードバック送信プロシージャは、アップリンク送信ウィンドウの第２の後続のアップリンクＴＴＩ中に１つまたは複数のチャネル上で第２のＣＣＡ順守フィードバック送信プロシージャを実行することを備える。追加または代替として、いくつかの例は、ＣＣのための発見基準信号（ＤＲＳ：discovery reference signal）構成を識別することと、ＤＲＳ構成が、１つまたは複数のチャネル中で送信される基準信号のための循環的送信パターンを示す、循環的送信パターンに少なくとも部分的に基づいて、１つまたは複数のチャネルについてのチャネル測定を実行することとを行うためのプロセス、特徴、手段、または命令を含み得る。
【００２４】
[0024]本明細書で説明される方法、装置、または非一時的コンピュータ可読媒体のいくつかの例では、第１のＣＳＩフィードバックは、１つまたは複数のチャネルに及ぶ周波数範囲のための広帯域チャネル品質を備える。追加または代替として、いくつかの例では、タイミング特性は、アップリンク送信ウィンドウが、識別されたＴＴＩの時間しきい値内にあることを備える。
【００２５】
[0025]本明細書で説明される方法、装置、または非一時的コンピュータ可読媒体のいくつかの例では、タイミング特性は、アップリンク送信ウィンドウが、識別されたＴＴＩを含むことを備える。
【００２６】
[0026]本明細書で説明される方法、装置、または非一時的コンピュータ可読媒体のいくつかの例は、ＣＣ（たとえば、スタンドアロン動作でのｅＣＣなど）のためのチャネルフィードバック報告のためのプロセス、特徴、手段、または命令をさらに含み得る。説明されるシステム、方法、装置、またはコンピュータ可読媒体の適用性のさらなる範囲は、以下の発明を実施するための形態、特許請求の範囲、および図面から明らかになろう。当業者には発明を実施するための形態の範囲内の様々な変更および改変が明らかになるので、発明を実施するための形態および特定の例は、例示として与えられるものにすぎない。
【００２７】
[0027]本開示の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００２８】
【図１】[0028]本開示の様々な態様による、コンポーネントキャリア（ＣＣ）（たとえば、スタンドアロン動作でのｅＣＣなど）のためのチャネルフィードバック報告をサポートするワイヤレス通信システムの一例を示す図。
【図２】[0029]本開示の様々な態様による、ＣＣ（たとえば、スタンドアロン動作でのｅＣＣなど）のためのチャネルフィードバック報告のためのワイヤレス通信サブシステムの一例を示す図。
【図３Ａ】[0030]本開示の様々な態様による、ＣＣ（たとえば、スタンドアロン動作でのｅＣＣなど）のためのチャネルフィードバック報告のためのｅＣＣ送信方式の一例を示す図。
【図３Ｂ】[0031]本開示の様々な態様による、ＣＣ（たとえば、スタンドアロン動作でのｅＣＣなど）のためのチャネルフィードバック報告のためのｅＣＣアップリンク送信の一例を示す図。
【図４Ａ】[0032]本開示の様々な態様による、ＣＣ（たとえば、スタンドアロン動作でのｅＣＣなど）のためのチャネルフィードバック報告のためのｅＣＣ高速フィードバック送信方式の例を示す図。
【図４Ｂ】本開示の様々な態様による、ＣＣ（たとえば、スタンドアロン動作でのｅＣＣなど）のためのチャネルフィードバック報告のためのｅＣＣ高速フィードバック送信方式の例を示す図。
【図５】[0033]本開示の様々な態様による、ｅＣＣのためのフィードバック報告をサポートするワイヤレスデバイスのブロック図。
【図６】本開示の様々な態様による、ｅＣＣのためのフィードバック報告をサポートするワイヤレスデバイスのブロック図。
【図７】本開示の様々な態様による、ｅＣＣのためのフィードバック報告をサポートするワイヤレスデバイスのブロック図。
【図８】[0034]本開示の様々な態様による、ｅＣＣのためのフィードバック報告をサポートするデバイスを含むシステムのブロック図。
【図９】[0035]本開示の様々な態様による、ｅＣＣのためのフィードバック報告をサポートする基地局を含むシステムのブロック図。
【図１０】[0036]本開示の様々な態様による、ＣＣ（たとえば、スタンドアロン動作でのｅＣＣなど）のためのチャネルフィードバック報告のための方法を示す図。
【図１１】本開示の様々な態様による、ＣＣ（たとえば、スタンドアロン動作でのｅＣＣなど）のためのチャネルフィードバック報告のための方法を示す図。
【図１２】本開示の様々な態様による、ＣＣ（たとえば、スタンドアロン動作でのｅＣＣなど）のためのチャネルフィードバック報告のための方法を示す図。
【発明を実施するための形態】
【００２９】
[0037]本開示によれば、デバイスは、共有スペクトル上での制御情報報告をサポートするために拡張報告機構を使用し得る。本開示の態様は、ワイヤレス通信システムのコンテキストにおいて説明される。たとえば、ＵＥは、無認可または共有周波数スペクトル帯域中でスタンドアロンモードで動作するＬＴＥ／ＬＴＥ−Ａコンポーネントキャリア（たとえば、拡張コンポーネントキャリア（ｅＣＣ）など）を介した基地局との通信のために構成され得る。認可周波数帯域中でのＬＴＥ／ＬＴＥ−Ａ動作とは異なり、無認可または共有帯域のためのＣＳＩの報告（たとえば、周期的、非周期的など）は、基地局が、リッスンビフォアトーク（ＬＢＴ）プロシージャにおいてチャネルへのアクセスを獲得すること、アップリンクサブフレームを割り振ること、およびＵＥがＬＢＴプロシージャにおいてチャネルへのアクセスを成功裏に獲得することを条件とし得る。認可帯域中で動作するＵＥは、周期的ＣＳＩ報告スケジュールに従って周期的ＣＳＩの送信のために制御チャネルリソースを割り振られ得る。共有スペクトル中のスタンドアロンＣＣまたはｅＣＣを介して周期的ＣＳＩを報告するＵＥは、周期的報告間隔に対応する送信時間間隔（ＴＴＩ）中でＣＳＩを送信することが可能でないことがある。実施形態では、ＵＥは、周期的報告スケジュールと制御フィードバックウィンドウとに基づいて、共有周波数帯域の周波数チャネルを介してＣＳＩを準周期的に報告する。本明細書で使用されるように、共有周波数帯域は、（たとえば、複数の事業者または優先事業者に認可された）共有スペクトルまたは無認可スペクトル内の周波数帯域を指すことがある。ＵＥは、制御フィードバックウィンドウが、指定された報告ＴＴＩのある時間期間内にあるか、または指定された報告ＴＴＩを含む場合、そのウィンドウの最初に周期的ＣＳＩ報告を送信するために、チャネルへのアクセスを獲得するためにＬＢＴプロシージャを実行し得る。ＬＢＴプロシージャは、準周期的ＣＳＩフィードバックを送信するためのチャネルを予約するためにクリアチャネルアセスメント（ＣＣＡ）プロシージャを実行することの複数の試みを含み得る。
【００３０】
[0038]また、ＵＥが共有スペクトル中のスタンドアロンＣＣまたはｅＣＣを介して基地局と通信するために非周期的ＣＳＩ報告がトリガされ得る。認可スペクトル中とは異なり、共有スペクトル中のＣＣまたはｅＣＣのために半静的に構成された周期的時間周波数ロケーション上には基準信号が存在しないことがある。実施形態では、非周期的ＣＳＩを決定するための基準信号は、非周期的ＣＳＩ要求がＵＥに送られるサブフレームのために動的に構成される。基準信号（たとえば、ＣＲＳ、ＵＥ−ＲＳ、ＣＳＩ−ＲＳなど）の存在は、他の非ＣＳＩトリガＵＥ(non-CSI triggered UE)が、基準信号の周りで適切なＰＤＳＣＨレートマッチングを行うことが可能であるように、サブフレームのためのスケジュールされたＤＬリソースを用いてＵＥのためのＤＬ許可中でシグナリングされ得る。非周期的ＣＳＩは、非周期的ＣＳＩトリガをもつＤＬバースト中の基準信号であり得る最新の受信された基準信号に基づいて、または基地局がＣＣＡを使用してチャネルをクリアすることができなかったチャネルの場合、発見基準信号（ＤＲＳ）構成による基準信号の最新のインスタンスに基づいて計算され得る。
【００３１】
[0039]追加または代替として、ＵＥは、デバイスが、ＤＬデータ送信の受信に続いて、ＣＣＡ免除送信（ＣＥＴ）中で制御チャネル構造にマッピングされた制御情報（たとえば、ＡＣＫ／ＮＡＣＫ、ＣＳＩなど）を送信する、高速フィードバック報告方式を利用し得る。ＣＳＩは、ＤＬデータ送信中の基準信号（たとえば、示されたプリコーディングをもつＣＲＳ、ＤＭ−ＲＳなど）に基づいて決定され得る。ＣＳＩは、デルタＣＱＩの形態で報告され得る、高速リンク適応のためのＣＱＩ報告を含み得る。ＵＥは、高速フィードバック、ＰＵＣＣＨまたはＰＵＳＣＨリソースを使用する通常フィードバック、あるいは高速フィードバックと通常フィードバックの両方を報告するように半静的に構成され得る。本開示のこれらおよび他の態様が、さらに、装置図、システム図、およびフローチャートによって示され、それらを参照しながら説明される。
【００３２】
[0040]図１は、本開示の様々な態様による、ｅＣＣのためのフィードバック報告をサポートするワイヤレス通信システム１００の一例を示す。ワイヤレス通信システム１００は、基地局１０５と、ＵＥ１１５と、ＡＰ１５０と、ＳＴＡ１５５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。
【００３３】
[0041]基地局１０５は、１つまたは複数の基地局アンテナを介してＵＥ１１５とワイヤレス通信し得る。基地局１０５の各々は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。基地局１０５は、高速回復プロシージャをサポートし得、それに互いに通信し得る。たとえば、基地局１０５は、バックホールリンク１３２（たとえば、Ｓ１など）を通してコアネットワーク１３０とインターフェースし得る。基地局１０５はまた、直接または間接的に（たとえば、コアネットワーク１３０を通して）、バックホールリンク１３４（たとえば、Ｘ１など）を介して互いに通信し得る。基地局１０５は、ＵＥ１１５との通信のための無線構成およびスケジューリングを実行し得るか、または基地局コントローラ（図示せず）の制御下で動作し得る。様々な例では、基地局１０５は、マクロセル、スモールセル、ホットスポットなどであり得る。基地局１０５は、いくつかの例ではｅノードＢ（ｅＮＢ）と呼ばれることもある。
【００３４】
[0042]ＵＥ１１５は、ワイヤレス通信システム１００全体にわたって分散され得、各ＵＥ１１５は固定式または移動可能であり得る。ＵＥ１１５は、移動局、加入者局、リモートユニット、ワイヤレスデバイス、アクセス端末、ハンドセット、ユーザエージェント、クライアント、またはいくつかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。ＵＥ１１５は、基地局１０５と通信し得、高速回復プロシージャをサポートし得る。
【００３５】
[0043]ＵＥは、キャリアアグリゲーション（ＣＡ）構成において複数のキャリアで構成され得、通信リンク１２５は、そのようなマルチキャリアＣＡ構成を表し得る。キャリアは、コンポーネントキャリア（ＣＣ）、レイヤ、チャネルなどと呼ばれることもある。「コンポーネントキャリア」という用語は、ＣＡ動作においてＵＥによって利用される複数のキャリアの各々を指すことがあり、システム帯域幅の他の部分とは別個であり得る。たとえば、ＣＣは、独立して、または他のコンポーネントキャリアと組み合わせて利用されることが可能である、比較的狭い帯域幅のキャリアであり得る。各ＣＣは、ＬＴＥ規格のリリース８またはリリース９に基づく分離キャリアと同じ能力を与え得る。複数のコンポーネントキャリアは、いくつかのＵＥ１１５に、より大きい帯域幅と、たとえば、より高いデータレートとを与えるために、アグリゲートされるか、またはコンカレントに利用され得る。したがって、個々のＣＣは、レガシーＵＥ１１５（たとえば、ＬＴＥリリース８またはリリース９を実装するＵＥ１１５）との後方互換性があることがあるが、他のＵＥ１１５（たとえば、リリース８／９後のＬＴＥバージョンを実装するＵＥ１１５）は、マルチキャリアモードにおいて複数のコンポーネントキャリアで構成され得る。ＤＬのために使用されるキャリアはＤＬ  ＣＣと呼ばれることがあり、ＵＬのために使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用され得る。
【００３６】
[0044]ＵＥ１１５は、複数のキャリアを利用して単一の基地局１０５と通信し得、また、異なるキャリア上で同時に複数の基地局１０５と通信し得る。基地局１０５の各セルは、ＵＬ  ＣＣとＤＬ  ＣＣとを含み得る。基地局１０５のための各サービングセルのカバレージエリア１１０は異なり得る（たとえば、異なる周波数帯域上のＣＣは、異なる経路損失を経験し得る）。いくつかの例では、あるキャリアは、１次セル（ＰＣｅｌｌ）によってサービスされ得る、ＵＥ１１５のための１次キャリアまたは１次コンポーネントキャリア（ＰＣＣ）として指定される。１次セルは、ＵＥごとに上位レイヤ（たとえば、無線リソース制御（ＲＲＣ）など）によって半静的に構成され得る。物理アップリンク制御チャネル（ＰＵＣＣＨ：physical uplink control channel）上で送信される、あるアップリンク制御情報（ＵＣＩ）、たとえば、ＡＣＫ／ＮＡＣＫ、チャネル品質インジケータ（ＣＱＩ：channel quality indicator）、およびスケジューリング情報は、１次セルによって搬送される。追加のキャリアは、２次セル（ＳＣｅｌｌ）によってサービスされ得る、２次キャリア、または２次コンポーネントキャリア（ＳＣＣ）として指定され得る。２次セルは、同様に、ＵＥごとに半静的に構成され得る。いくつかの場合には、２次セルは、１次セルと同じ制御情報を含まないかまたはそれを送信するように構成されないことがある。
【００３７】
[0045]いくつかの場合には、ワイヤレス通信システム１００は、１つまたは複数の拡張コンポーネントキャリア（ｅＣＣ）を利用し得る。拡張コンポーネントキャリア（ｅＣＣ）は、より広い帯域幅、より短いシンボル持続時間、より短い送信時間間隔（ＴＴＩ）、および変更された制御チャネル構成を含む、１つまたは複数の特徴によって特徴づけられ得る。いくつかの場合には、ｅＣＣは、キャリアアグリゲーション（ＣＡ）構成またはデュアル接続性構成（たとえば、複数のサービングセルが準最適なバックホールリンクを有するとき）に関連し得る。ｅＣＣはまた、（たとえば、２つ以上の事業者が、スペクトルを使用することを可能にされた場合）共有スペクトルまたは無認可スペクトルにおいて使用するために構成され得る。広帯域幅によって特徴づけられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。ｅＣＣは、動的時分割複信（ＴＤＤ）動作を利用し得る（すなわち、それは、動的条件に従って短いバーストのためにダウンリンク（ＤＬ）動作からアップリンク（ＵＬ）動作に切り替わり得る）。
【００３８】
[0046]いくつかの場合には、ｅＣＣは、他のコンポーネントキャリア（ＣＣ）とは異なるシンボル持続時間を利用し得、これは、他のＣＣのシンボル持続時間と比較して低減されたシンボル持続時間の使用を含み得る。より短いシンボル持続時間は、増加されたサブキャリア間隔に関連する。ｅＣＣを利用する、ＵＥ１１５または基地局１０５などのデバイスは、低減されたシンボル持続時間（たとえば、１６．６７μｓ）において広帯域信号（たとえば、２０、４０、６０、８０Ｍｈｚなど）を送信し得る。
【００３９】
[0047]いくつかの例では、ワイヤレス通信システム１００は、第１の無線アクセス技術（たとえば、ＬＴＥ／ＬＴＥ−Ａ技術など、セルラー無線アクセス技術）に従って動作するが、第２の無線アクセス技術（たとえば、Ｗｉ−Ｆｉ技術）に従って動作する１つまたは複数のネットワークまたはノードの存在下で動作し得る。例として、図１は、Ｗｉ−Ｆｉ局（ＳＴＡ）１５５と通信しているＷｉ−Ｆｉアクセスポイント（ＡＰ）１５０から構成されるネットワークを示す。いくつかの例では、ＵＥ１１５または基地局１０５は、Ｗｉ−Ｆｉによって使用される共有帯域中での動作をサポートするＬＴＥ−Ｕデバイスであり得る。ＬＴＥ／ＬＴＥ−Ｕデバイスは、認可または無認可帯域上での送信のためにｅＣＣ動作をさらにサポートし得る。ＳＴＡ１５５またはＡＰ１５０は、ＬＴＥをサポートし得るが、ＬＴＥ−ＵまたはｅＣＣ動作のために構成されないことがある、Ｗｉ−Ｆｉデバイスであり得る。明快のために、ＬＴＥ−Ｕデバイスは基地局１０５またはＵＥ１１５と呼ばれ、非ＬＴＥ−ＵデバイスはＡＰ１５０またはＳＴＡ１５５と呼ばれる。
【００４０】
[0048]共有チャネル上で送信する前に、基地局１０５またはＵＥ１１５など、ＬＴＥ−Ｕデバイスは、共有チャネルの制御を得るためにＬＢＴプロシージャを実行し得る。ＬＢＴプロシージャは、共有チャネルが利用可能であるかどうかを決定するためにＣＣＡを実行することを含み得る。デバイスが、チャネルが利用可能であると決定した場合、デバイスは、それがチャネル上で送信しようとしていることを他のデバイスにアラートするために、プリアンブル（たとえば、Ｗｉ−Ｆｉプリアンブル、チャネル使用ビーコン（ＣＵＢＳ）など）を送信し得る。そうではなく、チャネルが利用可能でない場合、デバイスは、チャネル上で送信することを控え得る。場合によっては、デバイスは、様々なＣＥＴルールを順守する送信を使用して、ＣＣＡプロトコルを守ることなしにチャネル上で送信し得る。ＣＥＴルールは、たとえば、送信より前にＣＣＡプロシージャを使用することなしに、送信において使用され得る、時間リソースまたは周波数リソースの最大持続時間または最大割合を含み得る。いくつかの例では、ＣＥＴルールは、５％の最大デューティサイクルを含む。
【００４１】
[0049]ＵＥ１１５など、ＬＴＥ−Ｕデバイスは、ＣＳＩフィードバック情報を別のＬＴＥ−Ｕデバイス（たとえば、ｅＮＢなど）に送信し得る。ＣＳＩは、チャネル品質情報（ＣＱＩ）、ランク指示（ＲＩ：rank indication）、またはプリコーディング行列インジケータ（ＰＭＩ：precoding matrix indicator）を含み得る。この情報は、変調およびコーディング方式（ＭＣＳ）、ランク、プリコーディング方式などを決定するためにｅＮＢによって使用され得る。ＣＳＩ情報は、ＵＥによって周期的にまたは非周期的に報告され得る。たとえば、周期的ＣＳＩ報告の場合、基地局１０５は、ＵＥ１１５に、明示された間隔に従って、割り振られた報告リソース上でＣＳＩ情報を報告するように指示し得る。いくつかの場合には、周期的ＣＳＩ報告のための報告リソースは、カバレージエリア内の他のＵＥ１１５のために明示されたＣＳＩ報告リソースからの時間領域または周波数領域のいずれかにおいて一意である。基地局１０５は、明示された報告リソース上でのＵＥ１１５からの応答を予想し、その間隔中に受信された情報をスケジュールされたＵＥ１１５と相関させ得る。たとえば、基地局１０５は、ＣＳＩ報告を受信するために使用される時間リソースと周波数リソースとに基づいてＵＥ１１５を識別し得る。いくつかの場合には、周期的ＣＳＩ情報は、物理アップリンク制御チャネル（ＰＵＣＣＨ）リソースを使用して報告され得る。非周期的報告の場合、基地局１０５は、ＣＳＩ情報を報告するようにＵＥ１１５をトリガするトリガをＵＥ１１５に送り得る。トリガを受信した後に、ＵＥ１１５はＣＳＩ情報を基地局１０５に送信し得る。いくつかの場合には、非周期的ＣＳＩ報告は、物理アップリンク共有チャネル（ＰＵＳＣＨ：physical uplink shared channel）リソースを使用して送信され得る。
【００４２】
[0050]基地局１０５またはＵＥ１１５など、ＬＴＥ−Ｕデバイスは、専用スペクトルまたは共有スペクトルのいずれか中の単一のＣＣを利用し得る。他の事例では、ＬＴＥ−Ｕデバイスは、（たとえば、専用スペクトルに関連する）ＰＣＣおよび（たとえば、共有スペクトルに関連する）ＳＣＣなど、複数のＣＣを利用し得る。いくつかの場合には、ＬＴＥ−Ｕデバイスは、送信のために１つまたは複数のｅＣＣまたはｅＣＣとＣＣとの組合せを利用し得る。複数のキャリアを使用するＬＴＥ−Ｕデバイスは、基地局１０５によって割り振られたアップリンクリソースを使用して１次ＣＣ上で、１次ＣＣと２次ＣＣの両方のためのＣＳＩ報告を送信し得る。共有スペクトルに関連する単一のＣＣまたは単一のｅＣＣを使用するＬＴＥ−Ｕデバイスは、ＣＳＩリソースを送信するための専用アップリンクリソースを割り振られないことがある。上述のように、ＬＴＥ−Ｕデバイスは、共有チャネル上で送信する前にＬＢＴプロシージャを実行し得、いくつかの場合には、チャネルが占有されると決定された場合、送信することを控え得る。したがって、周期的報告の場合、ＬＴＥ−Ｕデバイスは、明示された報告間隔を含む持続時間についてチャネルを得ることに失敗し、ＣＳＩ情報を送信することに失敗し得る。非周期的報告の場合、ＬＴＥ−Ｕデバイスは、次の成功したＬＢＴプロシージャまでＣＳＩ情報を送信するのを待ち得る。遅延したまたは失敗したＣＳＩフィードバック報告は、ネットワークが現在のチャネル推定値を作成するのを妨げ、その結果、リンク性能またはスループットを減少させ得る。
【００４３】
[0051]ＵＥ１１５は、共有スペクトル上での制御情報報告をサポートするために拡張報告機構を使用し得る。いくつかの場合には、ＵＥ１１５は、データ送信のために拡張コンポーネントキャリア（ｅＣＣ）を利用し得る。一例では、ＵＥ１１５は、ＣＥＴを使用して制御情報を基地局１０５に送信し得る。たとえば、ＵＥ１１５は、ＣＥＴ送信を介してＡＣＫ／ＮＡＣＫを基地局１０５に送信し得る。追加または代替として、ＵＥ１１５は、ＣＥＴ中にアップリンクスケジューリングフィードバックまたはＣＳＩフィードバックを送信し得る。別の例では、ＵＥ１１５は制御情報を準周期的に報告し得る。たとえば、ＵＥ１１５は、基地局１０５からＣＳＩ報告のためのスケジューリングを受信し得る。スケジューリングは、ＵＥ１１５に対して、制御情報（たとえば、ＣＳＩ）を報告するための明示された間隔（たとえば、特定のＴＴＩ、サブフレームなど）と制御フィードバックウィンドウとを指定し得る。ウィンドウは、ＵＥ１１５が制御情報をその間に送信し得る明示された間隔より前のおよびそれの後の持続時間を与え得る。たとえば、ＵＥ１１５は、明示された間隔を含まない持続時間のためにチャネルを予約するＣＣＡを実行し得るが、明示された間隔が、割り当てられたウィンドウ内に入ると決定したことに基づいて、フィードバック情報を送信し得る。いくつかの場合には、報告は、スケジュールされた間隔より前にまたはそれの後に送信され得る。
【００４４】
[0052]図２は、本開示の様々な態様による、共有周波数スペクトルのためのチャネルフィードバック報告のためのワイヤレス通信サブシステム２００の一例を示す。チャネルフィードバック報告は、ＡＣＫ／ＮＡＣＫおよびＣＳＩ報告を含み得る。ワイヤレス通信サブシステム２００は、図１を参照しながら上記で説明されたＵＥ１１５、基地局１０５、ＳＴＡ１５５、またはＡＰ１５０の例であり得る、ＵＥ１１５−ａと、ＵＥ１１５−ｂと、基地局１０５−ａと、ＳＴＡ１５５−ａと、ＡＰ１５０−ａとを含み得る。図１を参照しながら上記で概括的に説明されたように、基地局１０５−ａは、ＵＥ１１５−ａおよび１１５−ｂがカバレージエリア１１０−ａ内にあるとき、それぞれ通信リンク２０５−ａおよび２０５−ｂを介してＵＥ１１５−ａおよび１１５−ｂと通信し得、ＳＴＡ１５５−ａおよびＡＰ１５０−ａは、ＳＴＡ１５５−ａがカバレージエリア１１０−ｂ内にあるとき、通信リンク２０５−ｃを介して互いに通信し得る。通信リンク２０５−ａ、２０５−ｂは、（たとえば、スタンドアロンモードで）無認可または共有スペクトルの、通信リンク２０５−ｃと同じ周波数帯域上で動作するＬＴＥ／ＬＴＥ−Ａ  ＣＣまたはｅＣＣを使用し得る。
【００４５】
[0053]一例では、基地局１０５−ａは、ＵＥ１１５−ａおよびＵＥ１１５−ｂとの接続を確立し得る。基地局１０５−ａは、ＵＥ１１５−ａおよびＵＥ１１５−ｂがそれに従って制御情報（たとえば、ＣＳＩなど）を基地局１０５−ａに報告すべきである報告スケジュールを示すＣＳＩ報告構成情報をＵＥ１１５−ａとＵＥ１１５−ｂの両方に送り得る。基地局１０５−ａは、準周期的ＣＳＩ報告がそれのために構成される明示された報告ＴＴＩ（たとえば、サブフレーム、シンボルなど）より前のおよび／またはそれの後の時間しきい値を指定する制御フィードバックウィンドウをＵＥ１１５−ａおよびＵＥ１１５−ｂにさらに送り得る。
【００４６】
[0054]基地局１０５−ａは、成功したＣＣＡを実行し、ダウンリンク上で送信し始め得る。送信は、後続の制御およびユーザデータに加えて、チャネルをクリアするためのプリアンブルを含み得る。プリアンブルは、ＵＥ１１５−ａおよびＵＥ１１５−ｂに、後続のＴＴＩのためのダウンリンクおよびアップリンク構成を示すプリアンブルを含み得る。ＵＥ１１５−ａおよびＵＥ１１５−ｂは、ダウンリンク送信を着信データについて監視し得、また、チャネル推定値とＣＳＩフィードバックとを生成するために、受信された基準信号（ＲＳ）（たとえば、ＣＲＳ、ＣＳＩ−ＲＳ、ＵＥ−ＲＳなど）を使用し得る。
【００４７】
[0055]いくつかの場合には、ＵＥ１１５−ａとＵＥ１１５−ｂの両方は、指定されたアップリンクＴＴＩの時間期間内のそれぞれのＴＴＩにおいて報告するようにスケジュールされ得る。ＵＥ１１５−ａおよびＵＥ１１５−ｂは、アップリンクＴＴＩ中にチャネルを得る試みにおいてＣＣＡプロシージャをそれぞれ実行し得る。いくつかの場合には、ＵＥ１１５−ａのためのＣＣＡは成功し得、ＵＥ１１５−ｂのためのＣＣＡは、（たとえば、ＵＥ１１５−ａによる送信が開始すると）失敗し得る。チャネルを得た後に、ＵＥ１１５−ａは、ＣＣＡに続く第１のＴＴＩ中にＣＳＩ報告を送信し得る。いくつかの場合には、ＣＳＩ報告のためにＵＥ１１５−ａに割り当てられたスケジュールされたＴＴＩは、第１のＴＴＩより前にまたはそれの後にあり得るが、指定されたウィンドウ内に入り得る。ＵＥ１１５−ａが、（他のデータの送信に付随することもしないこともある）ＣＳＩ情報を報告し終えた後、または基地局が第２の成功したＣＣＡとダウンリンク送信とを実行した後、ＵＥ１１５−ｂは、ＣＣＡを成功裏に実行することが可能であり得る。成功したＣＣＡ時に、ＵＥ１１５−ｂはＣＳＩ情報を基地局１０５−ａに送信し得る。ＣＳＩ報告は、割り当てられたＴＴＩを使用して送信されないことがあるが、基地局１０５−ａは、アップリンクＴＴＩ中にＵＥ１１５−ａおよび１１５−ｂからのＣＳＩ送信について監視し得、ＵＥ固有送信情報に基づいてＣＳＩ報告を識別し得る。たとえば、基地局１０５−ａは、送信のために使用された周波数リソース、ＭＣＳ、またはシーケンスに基づいてＣＳＩ報告を識別し得る。準周期的ＣＳＩ送信は、同期（たとえば、ｅＣＣシンボル期間に時間的に整合される）、または非同期であり得る。
【００４８】
[0056]別の例では、基地局１０５−ａは、高速フィードバック報告のためにＵＥ１１５−ａおよびＵＥ１１５−ｂを構成し得る。いくつかの場合には、基地局１０５−ａは、ＵＥ１１５−ａおよびＵＥ１１５−ｂのために制御情報の高速フィードバックを可能にする、プリアンブルに含められ得るメッセージを送信し得る。たとえば、基地局１０５−ａは、ＵＥ１１５−ａおよびＵＥ１１５−ｂに、制御フィードバックのためにＣＥＴを利用することを示し得る。基地局１０５−ａは、成功したＣＣＡを実行し、関連する送信についての送信情報（たとえば、持続時間、送信リソースのためのＵＬ−ＤＬ構成など）を含むプリアンブルを送信し得る。いくつかの場合には、基地局１０５−ａは、いくつかのアップリンクシンボルをＣＥＴリソースとして指定し得る。各ＵＥ１１５−ａおよびＵＥ１１５−ｂは、ＣＥＴ送信のための制御チャネル構造の別個の周波数リソースまたは時間リソース（たとえば、プリアンブル中で構成された、ＲＲＣ構成中で構成された、ＵＥ−ＩＤに基づくなど）に指定され得る。基地局１０５−ａは、ＵＥ１１５−ａとＵＥ１１５−ｂとを含むカバレージエリア１１０−ａ内のＵＥにダウンリンク情報を送信し始め得る。上述のように、ダウンリンク送信は、チャネル推定のための基準信号を含み得る。基地局１０５−ａがダウンリンク情報を送信し終えた後、ＵＥ１１５−ａおよびＵＥ１１５−ｂは、ＣＥＴを使用して制御フィードバック（たとえば、ＡＣＫ／ＮＡＣＫ、ＣＳＩ）を基地局１０５−ａに送信し得る。いくつかの場合には、複数のＵＥ１１５のための制御情報が、ＣＥＴ送信に関連する、（たとえば、重複しないまたはインターリーブされた周波数リソースを使用するなど）シンボルの同じセット内に含められ得る。他の場合には、ＵＥ１１５−ａは、ＣＥＴシンボルの第１のセット中で送信し得、ＵＥ１１５−ｂは、ＣＥＴシンボルの第２の後続のセット中で送信し得る。
【００４９】
[0057]基地局１０５−ａは、ＣＳＩ報告とＡＣＫ／ＮＡＣＫ報告とを含む高速フィードバックを受信し得る。ＣＳＩ報告は、前のＰＤＳＣＨ送信のために基地局１０５−ａによって使用されたＭＣＳを基準とし得る、ＣＱＩおよび／またはデルタＣＱＩを含み得る。ＣＳＩは、前のＰＤＳＣＨに関連する基準信号（たとえば、適用されたプリコーディングをもつＣＲＳまたはＤＭ−ＲＳ）を使用して生成され得る。いくつかの場合には、高速フィードバックはＰＭＩまたはＲＩインジケータを含み得る。追加または代替として、ＵＥ１１５−ａまたはＵＥ１１５−ｂは、復号されたＰＤＳＣＨの外部の領域のためのＣＱＩを含み得る。基地局１０５−ａは、後続のＤＬ送信のためのＭＣＳを適応させるために高速フィードバックを使用し得る。高速フィードバックは、ワイヤレス通信サブシステム２００が、高速リンク適応を実行し、ネットワークのスループットを増加させることを可能にし得る。
【００５０】
[0058]別の例では、基地局１０５−ａは、ＵＥ１１５−ａからの非周期的ＣＳＩ報告についての要求を送り得る。いくつかの例では、報告は、ダウンリンク制御情報（ＤＣＩ）メッセージ中のＣＱＩ要求フィールドを設定することによってトリガされ得る。要求は、ＵＥ１１５がそれのためにＣＳＩ報告を生成し得るチャネルのセット（たとえば、１つまたは複数の２０ＭＨｚチャネル）を示し得る。ＣＲＳおよび／またはＣＳＩ−ＲＳが、半静的に構成された周期的時間および周波数ロケーション上に存在する、認可スペクトルとは異なり、基準信号は、（たとえば、基地局がＣＣＡをクリアすることに基づいてなど）動的にのみ利用可能であり得る。いくつかの場合には、基地局１０５−ａは、要求に応じてＣＳＩ−ＲＳを送り得、すなわち、基地局１０５−ａは、基地局１０５−ａが非周期的フィードバック要求を送るサブフレーム上でのみＣＳＩ−ＲＳを送る。基地局１０５−ａは、他のＵＥ１１５がＰＤＳＣＨレートマッチングを実行し得るように、ダウンリンク許可中でＣＳＩ−ＲＳの存在をシグナリングし得る。たとえば、基地局１０５−ａが、ＵＥ１１５−ａに対する非周期的ＣＳＩ要求を含むサブフレーム中にＵＥ１１５−ｂにデータ送信を送る場合、基地局１０５−ａは、ＵＥ１１５−ｂに、ＣＳＩ−ＲＳがデータ送信中に存在することを示し得る。
【００５１】
[0059]ＵＥ１１５−ａは、送信されたＣＲＳまたはＣＳＩ−ＲＳを使用して、指定されたチャネルのためのＣＳＩを計算し得る。ＵＥ１１５−ａは、ＰＵＳＣＨを使用して非周期的ＣＳＩ報告を基地局１０５−ａに送信し得る。ＣＳＩ報告は、チャネルのセット（たとえば、Ｎ＊２０ＭＨｚ）またはチャネルのセットのサブセットのためのＣＳＩを含み得る。非周期的ＣＳＩは、非周期的ＣＳＩトリガをもつＤＬバースト中の基準信号であり得る、最新の受信された基準信号に基づいて、または基地局１０５−ａがＣＣＡを使用してチャネルをクリアすることができなかったチャネルの場合、発見基準信号（ＤＲＳ）構成による基準信号の最新のインスタンスに基づいて計算され得る。いくつかの場合には、基地局１０５−ａは、狭および広帯域送信のための共通送信電力を使用して基準信号を送信し得る。したがって、より広い帯域の送信に関連する電力スペクトル密度（ＰＳＤ：power spectral density）は、狭帯域送信と比較して減少され得る。いくつかの場合には、ＵＥ１１５−ａは、送信帯域幅（たとえば、２０、４０、６０、８０Ｍｈｚなど）に基づいて、基準信号のＰＳＤを決定し得る。いくつかの場合には、ＵＥ１１５−ａは、決定されたＰＳＤに基づいてＣＳＩ報告を作成し得る。
【００５２】
[0060]図３Ａは、本開示の様々な態様による、共有周波数スペクトルのためのチャネルフィードバック報告のための送信方式３００−ａの一例を示す。チャネルフィードバック報告は、ＡＣＫ／ＮＡＣＫおよびＣＳＩ報告を含み得る。送信方式３００−ａは、図１〜図２を参照しながら上記で説明されたような、ＵＥ１１５と基地局１０５との間の通信セッションの態様を示し得る。送信方式３００−ａは、基地局１０５によって実行されるＣＣＡ３０５と、ＤＬ  ＴＴＩ３１０と、ＵＬ  ＴＴＩ３１５とを含み得る。ＤＬ  ＴＴＩ３１０はＲＳ３４０を含み得る。周期的ＣＳＩ報告ＴＴＩ、ＣＳＩ＿ＵＥ１  ３２０−ａおよびＣＳＩ＿ＵＥ２  ３２０−ｂは、それぞれ第１のＵＥ１１５および第２のＵＥ１１５のための周期的ＣＳＩ構成に従って決定され得る。第１および第２のＵＥ１１５はまた、それぞれ準周期的制御フィードバックウィンドウ３２５−ａおよび３２５−ｂで構成され得る。ＵＬ  ＴＴＩ３１５は、いくつかの場合には、構成された周期的ＣＳＩ報告間隔に対応するスケジュールされたＣＳＩリソース３４５を含み得る。
【００５３】
[0061]一例では、基地局１０５は、ＵＥ１１５がＣＳＩを送信し得る間隔を示すスケジューリング情報を１つまたは複数のＵＥ１１５に送信し得る。後の時点において、基地局１０５は、成功したＣＣＡ３０５を実行し、共有チャネルの制御を取り得る。基地局１０５は、次いで、チャネルを予約し、アップリンクおよびダウンリンク構成を示す、プリアンブルを送信し得る。基地局１０５は、ＲＳ３４０（たとえば、ＣＲＳ、ＵＥ−ＲＳ、ＣＳＩ−ＲＳなど）を含み得るＤＬ  ＴＴＩ３１０を開始し得る。ＵＥ１１５は、チャネル推定値を生成し、ＣＳＩ報告を作成するために、ＲＳ３４０を使用し得る。１つまたは複数のＵＥ１１５は、周期的ＣＳＩ報告ＴＴＩ３２０においてＣＳＩフィードバックを送信するようにスケジュールされ得る。
【００５４】
[0062]第１のＵＥ１１５は、準周期的制御フィードバックウィンドウ３２５−ａ中に成功したＣＣＡを実行し、ＣＳＩ報告を送信し得る。ＣＳＩ報告は、いくつかの場合には、同期的に（たとえば、ＣＣＡに続く１つまたは複数のＴＴＩに整合されて）、または非同期的に送信され得る。
【００５５】
[0063]上述のように、ＵＥ１１５は、ＵＬ  ＴＴＩ３１５中にアップリンク情報を送信するより前にＬＢＴプロシージャを実行し得るので、スケジュールされたＣＳＩリソース３４５に関連する時間期間の間のみＬＢＴプロシージャを実行することは、成功したＣＳＩフィードバック送信のためのチャネルを得る確率を低減し得る。したがって、ＵＥ１１５は、ＵＬ  ＴＴＩ３１５中の早くにまたは遅くに利用可能な送信リソースの存在にもかかわらず、特定の周期的ＣＳＩ間隔について周期的ＣＳＩ報告を送信することに失敗し得る。したがって、準周期的制御フィードバックウィンドウ３２５は、ＵＥ１１５が、スケジュールされた周期的ＣＳＩ報告ＴＴＩ３２０より前にまたはそれの後に送信することを可能にするように構成され得る。ある場合には、ＵＥ１１５は、成功したＣＣＡに続く第１のＴＴＩ中でＣＳＩ情報を送信し得る。構成されたＵＬ  ＴＴＩ３１５の最初にＬＢＴ送信プロシージャを開始することは、ＵＬ  ＴＴＩ３１５中にＣＳＩ報告を送信するための成功したＣＣＡの確率を著しく増加させ得る。一例では、準周期的制御フィードバックウィンドウは、周期的ＣＳＩ報告ＴＴＩを含んでいる、基地局によって予約されたすべてのアップリンクＴＴＩとして暗黙的に定義され得る。別の例では、準周期的制御フィードバックウィンドウは、周期的ＣＳＩ報告ＴＴＩを含んでいる、基地局によって予約されたすべての連続アップリンクＴＴＩとして暗黙的に定義され得る。また別の例では、準周期的制御フィードバックウィンドウは、周期的ＣＳＩ報告ＴＴＩの所定の数のＴＴＩ内のアップリンクＴＴＩ（連続または非連続）によって暗黙的に定義され得る。
【００５６】
[0064]図３Ｂは、本開示の様々な態様による、共有周波数スペクトルのためのチャネルフィードバック報告のためのアップリンク送信３００−ｂの一例を示す。チャネルフィードバック報告は、ＡＣＫ／ＮＡＣＫおよびＣＳＩ報告を含み得る。アップリンク送信３００−ｂは、図１〜図３Ａを参照しながら上記で説明されたような、ＵＥ１１５と基地局１０５との間の通信セッションの態様を示し得る。アップリンク送信３００−ｂはアップリンクＴＴＩ３７０を含み得る。アップリンクＴＴＩ３７０は、周期的ＣＳＩ報告ＴＴＩ  ＣＳＩ＿ＵＥ１  ３２０−ｃおよびＣＳＩ＿ＵＥ２  ３２０−ｄと重複するＴＴＩを含む、６つのアップリンクＴＴＩを含み得る。ＵＬ  ＴＴＩ３１５−ａの拡大図は、複数のＵＥのためのＬＢＴチャネルフィードバックプロシージャを示し得る。ＬＢＴプロシージャは、ＣＣＡ＿ＵＥ１  ３５０−ａおよびＣＣＡ＿ＵＥ２  ３５０−ｂを含み得、その後に、それぞれＣＳＩ報告３５５−ａおよびＣＳＩ報告３５５−ｂが続き得る。
【００５７】
[0065]一例では、第１および第２のＵＥ１１５（たとえば、ＵＥ１およびＵＥ２）は、アップリンクＴＴＩ３７０中にＣＳＩを報告するようにスケジュールされ得る。第１のＵＥ１１５は、アップリンクＴＴＩ  Ｋ中に報告するようにスケジュールされ得、第２のＵＥ１１５は、アップリンクＴＴＩ  Ｋ＋２中に報告するようにスケジュールされ得る。各ＵＥ１１５は、それのそれぞれの報告間隔ＣＳＩ＿ＵＥ１  ３２０−ｃまたはＣＳＩ＿ＵＥ２  ３２０−ｃがアップリンクＴＴＩ３７０内にスケジュールされると決定し得る。したがって、両方のＵＥ１１５は、チャネルを得る試みにおいてＣＣＡを実行し得る。第１のＵＥ１１５は、成功したＣＣＡ＿ＵＥ１  ３５０−ａを実行し得、基地局１０５への送信の準備ができているデータの量に基づく持続時間のためにチャネルを予約し得る。ＴＴＩ  Ｋが準周期的制御フィードバックウィンドウ内にあることを識別したことに基づいて、第１のＵＥ１１５は、ＣＣＡ＿ＵＥ１  ３５０−ａに続くＴＴＩ中でＣＳＩ報告３５５−ａを送信し得る。第１のＵＥ１１５は、チャネル予約の残りの間、他のデータをさらに送信し得る。一例では、第１のＵＥ１１５のためのアップリンク送信は、ＣＳＩ報告３５５−ａが送られた後に完了し、チャネルはクリアチャネル間隔３６０−ａ中にクリアである。クリアチャネル間隔３６０−ａ中に、第２のＵＥ１１５を含む他のＵＥ１１５、またはＳＴＡ１１０は、ＣＣＡを実行し、ビジーチャネル間隔３６５−ａ中にアップリンク送信を開始し得る。後の時点において、第２のＵＥ１１５は、成功したＣＣＡ＿ＵＥ２  ３５０−ｂを実行し得る。後続のＴＴＩ中で、第２のＵＥ１１５は、ＴＴＩ  Ｋ＋２より前に、それの後に、またはそれの間にあり得る、ＣＳＩ報告３５５−ｂを送信し得る。アップリンクＴＴＩ３７０の残りは、アップリンク送信のために他のＵＥ１１５によって使用され得る。
【００５８】
[0066]図４Ａは、本開示の様々な態様による、ＣＣ（たとえば、スタンドアロン動作でのｅＣＣなど）のためのチャネルフィードバック報告のための高速フィードバック送信方式４００−ａの一例を示す。チャネルフィードバック報告は、ＡＣＫ／ＮＡＣＫ、アップリンクスケジューリング情報、およびＣＳＩ報告を含み得る。高速フィードバック送信方式４００−ａは、図１〜図３Ｂを参照しながら上記で説明されたような、ＵＥ１１５と基地局１０５との間の通信セッションの態様を示し得る。高速フィードバック送信方式４００−ａは、ＣＣＡ４０５と、ＤＬデータ送信４１０と、ＵＬ制御チャネル送信４１５とを含み得る。ＵＥ１１５は、ＤＬデータ送信４１０上で受信されたデータのためのＡＣＫ／ＮＡＣＫ情報４２５を生成し得、ＡＣＫ／ＮＡＣＫ情報４２５をＵＬ制御チャネル送信４１５に含め得る。ＤＬデータ送信４１０は、ＣＳＩ報告４３０を生成するためにＵＥ１１５によって使用され得るＲＳ４２０を含み得る。場合によっては、ＣＳＩ報告４３０もＵＬ制御チャネル送信４１５に含められ得る。
【００５９】
[0067]一例では、基地局１０５は、成功したＣＣＡ４０５を実行し、後続の送信間隔についての送信情報（たとえば、持続時間、ＴＤＤ  ＵＬ−ＤＬ構成など）を示すプリアンブルを送信し得る。基地局１０５は、複数のＵＥ１１５を対象とするデータと、ＲＳ４２０を含む基準信号とを含み得るＤＬデータ送信４１０を開始し得る。ＵＥ１１５は、受信されたデータブロックが正しく復号されたかどうかに基づいて、ＡＣＫ／ＮＡＣＫ情報４２５を生成し得る。ＵＥ１１５はまた、ＣＳＩ報告４３０を生成するためにＲＳ４２０を使用し得る。一例では、基地局１０５は、持続時間ｔD内にダウンリンクデータ（たとえば、コードワードなど）を指定されたＵＥ１１５に送信し、送信することを停止し得る。ＵＥ１１５は、ＤＬデータ送信４１０の完了の後に間隔ｔSを待ち得、次いで、ＵＬ制御チャネル送信４１５を開始し得る。間隔ｔSは、ＣＣＡ持続時間よりも短いことがあり、ｅＣＣに関連する時間期間（たとえば、ｅＣＣシンボル期間）であり得るか、または、いくつかの場合には、スキップされ得る（たとえば、ＵＬ制御チャネル送信４１５より前に遅延がない）。制御チャネル送信中に、ＵＥ１１５は、ＣＣＡを実行することなしに、ＡＣＫ／ＮＡＣＫ情報４２５を基地局１０５に送信し得る。特定のＵＥ１１５のためのＤＬデータ送信４１０中に含まれるデータ送信が間違って復号した場合、ＵＥ１１５は、ＵＬ制御チャネル送信４１５中で明示的ＮＡＣＫを送り得る。いくつかの場合には、ＵＥ１１５は、ＡＣＫ／ＮＡＣＫ情報とともにＣＳＩ報告４３０を含め得る。いくつかの場合には、各ＵＥ１１５は、アップリンク報告のための非干渉時間リソースまたは周波数リソース（たとえば、別々の時間周波数ブロック、インターリーブされた周波数リソースなど）を指定され得る。たとえば、ＵＥ１１５の第１のセットは、シンボルの第１のセット中にインターリーブされた周波数リソース上で送信し得、ＵＥ１１５の第２のセットは、シンボルの第２の後続のセット中にインターリーブされた周波数リソース上で送信し得る。ＣＳＩ報告は、ＣＱＩ、ＰＭＩ、ＲＩなどを含み得る。
【００６０】
[0068]ＵＬ制御チャネル送信４１５中で送信される制御情報（たとえば、ＡＣＫ／ＮＡＣＫ、ＣＳＩ、アップリンクリソース要求など）は、専用制御チャネル構造のリソースにマッピングされ得る。たとえば、制御情報は、Ｎ個の変調シンボルを生成するためにコーディングまたは複製され得、Ｎ個の変調シンボルは、制御チャネル構造の特定の時間周波数リソースにマッピングされるＭ個の被変調制御情報シンボルのＮ個のシーケンスを生成するために、Ｍ個のシンボルのＮ個のシーケンスを使用して変調され得る。たとえば、ＡＣＫ／ＮＡＣＫ、ＣＳＩ、およびアップリンクリソース要求情報は、制御チャネル構造の指定された部分にマッピングされ得る。いくつかの例では、制御チャネル構造は、所定の数のｅＣＣシンボル期間（たとえば、１つ、２つ、４つ、８つなど）を含む制御チャネルＴＴＩに対応し得る。各ＵＥは、暗黙的に（たとえば、ＤＬ許可中の情報に基づいて）、または明示的に（たとえば、ＵＥ−ＩＤに基づいて、または上位レイヤを使用して構成されてなど）決定され得る、制御チャネルＴＴＩ内の指定された周波数リソース（たとえば、隣接サブキャリア、インターリーブされたサブキャリアなど）を有し得る。
【００６１】
[0069]図４Ｂは、本開示の様々な態様による、共有周波数スペクトルのためのチャネルフィードバック報告のための高速フィードバック送信方式４００−ｂの一例を示す。チャネルフィードバック報告は、ＡＣＫ／ＮＡＣＫおよびＣＳＩ報告を含み得る。高速フィードバック送信方式４００−ｂは、図１〜図３Ｂを参照しながら上記で説明されたような、ＵＥ１１５と基地局１０５との間の送信の態様を示し得る。高速フィードバック送信方式４００−ｂは、ＤＬ  ＣＣＡ４０５−ａと、ＤＬデータ送信４１０−ａおよび４１０−ｂと、ＵＬ制御チャネル送信４１５−ａとを含み得る。ＵＥ１１５は、ＤＬデータ送信４１０−ａ中で受信されたデータのためのＡＣＫ／ＮＡＣＫ情報４２５−ａを生成し得、ＡＣＫ／ＮＡＣＫ情報４２５−ａをＵＬ制御チャネル送信４１５−ａに含め得る。ＤＬデータ送信４１０−ａは、ＣＳＩ報告４３０−ａを生成するためにＵＥ１１５によって使用され得るＲＳ４２０−ａを含み得る。ＣＳＩ報告４３０−ａもＵＬ制御チャネル送信４１５−ａに含められ得る。
【００６２】
[0070]一例では、基地局１０５は、ダウンリンクＴＴＩの２つのセット間のアップリンクＴＴＩ４３５を含むアップリンクおよびダウンリンク構成を示し得る。上記の技法と同様に、ＵＥ１１５のセットは、ＡＣＫ／ＮＡＣＫ情報４２５−ａを含み得るＵＬ制御チャネル送信４１５−ａを送信する前に間隔ｔSを待ち得る。いくつかの場合には、ＵＥ１１５は、ＡＣＫ／ＮＡＣＫ情報とともにＣＳＩ報告４３０−ａを含め得る。いくつかの場合には、各ＵＥ１１５は、どの時間および周波数リソースが、ＣＥＴ送信のために他のＵＥ１１５によって使用されことになるかを決定し、それに応じて送信し得る。他の場合には、基地局１０５が、ＣＥＴ送信のための別個の非干渉時間および周波数リソースをＵＥ１１５に対して指定し得る。アップリンクＴＴＩ４３５の完了時に、基地局１０５はＤＬデータ送信４１０−ｂを続け得る。
【００６３】
[0071]図５は、本開示の様々な態様による、共有周波数スペクトルのためのチャネルフィードバック報告のために構成されたワイヤレスデバイス５００のブロック図を示す。ワイヤレスデバイス５００は、図１〜図４を参照しながら説明されたＵＥ１１５または基地局１０５の態様の一例であり得る。ワイヤレスデバイス５００は、受信機５０５、フィードバック報告マネージャ５１０、または送信機５１５を含み得る。ワイヤレスデバイス５００はプロセッサをも含み得る。これらの構成要素の各々は互いに通信していることがある。
【００６４】
[0072]受信機５０５は、パケット、ユーザデータ、または様々な情報チャネルに関連する制御情報（たとえば、制御チャネル、データチャネル、およびｅＣＣのためのＣＱＩフィードバック報告に関係する情報など）などの情報を受信し得る。情報は、フィードバック報告マネージャ５１０に、およびワイヤレスデバイス５００の他の構成要素に受け渡され得る。いくつかの例では、受信機５０５は、ＣＣ上でｅＮＢからデータ送信を受信し得る。
【００６５】
[0073]フィードバック報告マネージャ５１０は、共有周波数帯域上のＣＣを使用してｅＮＢと通信し、ＣＣ上でｅＮＢからデータ送信を受信し、データ送信のためのＡＣＫ／ＮＡＣＫ情報を決定し、ＣＣを介してＣＣＡ免除フィードバック送信中でＡＣＫ／ＮＡＣＫ情報をｅＮＢに送信し得、ここにおいて、ＡＣＫ／ＮＡＣＫ情報は、ＣＣＡ免除フィードバック送信のためのアップリンク制御チャネル構造の指定されたリソースにマッピングされる。いくつかの場合には、アップリンク制御チャネル構造は、ＣＣの周波数リソースのサブセットを備え得る。
【００６６】
[0074]送信機５１５は、ワイヤレスデバイス５００の他の構成要素から受信された信号を送信し得る。いくつかの例では、送信機５１５は、トランシーバモジュールにおいて受信機５０５とコロケートされ得る。送信機５１５は単一のアンテナを含み得るか、またはそれは複数のアンテナを含み得る。いくつかの例では、送信機５１５は、ＣＣを介してＣＣＡ免除フィードバック送信中でＡＣＫ／ＮＡＣＫ情報をｅＮＢに送信し得、ここにおいて、ＡＣＫ／ＮＡＣＫ情報は、ＣＣＡ免除フィードバック送信のためのアップリンク制御チャネル構造の指定されたリソースにマッピングされる。いくつかの例では、送信機５１５は、ＣＣＡ免除フィードバック送信中でアップリンクスケジューリングフィードバックまたはＣＳＩフィードバックを送信し得る。いくつかの例では、送信されたＣＳＩフィードバックは、ターゲットＭＣＳに関連するインジケータを備える。いくつかの例では、ターゲットＭＣＳに関連するインジケータはチャネル品質デルタを備える。いくつかの例では、ＣＣＡ免除フィードバック送信の開始は、データ送信の終了から所定のＣＣＡ時間期間未満に発生する。いくつかの例では、第１のＣＳＩフィードバックは、１つまたは複数のチャネルに及ぶ周波数範囲のための広帯域チャネル品質を備える。
【００６７】
[0075]図６は、本開示の様々な態様による、ＣＣ（たとえば、スタンドアロン動作でのｅＣＣなど）のためのチャネルフィードバック報告のためのワイヤレスデバイス６００のブロック図を示す。ワイヤレスデバイス６００は、図１〜図５を参照しながら説明されたワイヤレスデバイス５００、ＵＥ１１５、または基地局１０５の態様の一例であり得る。ワイヤレスデバイス６００は、受信機５０５−ａ、フィードバック報告マネージャ５１０−ａ、または送信機５１５−ａを含み得る。ワイヤレスデバイス６００はプロセッサをも含み得る。これらの構成要素の各々は互いに通信していることがある。フィードバック報告マネージャ５１０−ａはまた、通信マネージャ６０５とフィードバックプロセッサ６１０とを含み得る。
【００６８】
[0076]受信機５０５−ａは、フィードバック報告マネージャ５１０−ａに、およびワイヤレスデバイス６００の他の構成要素に受け渡され得る情報を受信し得る。フィードバック報告マネージャ５１０−ａは、図５を参照しながら説明された動作を実行し得る。送信機５１５−ａは、ワイヤレスデバイス６００の他の構成要素から受信された信号を送信し得る。
【００６９】
[0077]通信マネージャ６０５は、図２〜図４を参照しながら説明されたように、共有周波数帯域上のＣＣを使用するｅＮＢとの通信を管理し得る。通信マネージャ６０５はまた、ＣＣを介した通信のために共有周波数帯域の１つまたは複数のチャネルを予約する、ｅＮＢからの送信を識別し得、送信は、明示された持続時間にわたるＣＣのためのＴＤＤ構成を識別する。ＣＣは、図２〜図４を参照しながら説明されたように、スタンドアロン動作モードでＵＥのために構成されたｅＣＣを含み得る。
【００７０】
[0078]フィードバックマネージャ６１０は、図２〜図４を参照しながら説明されたように、データ送信のためのＡＣＫ／ＮＡＣＫ情報を決定し得る。フィードバックプロセッサ６１０はまた、アップリンクスケジューリングフィードバックまたはＣＳＩフィードバックを決定し得る。フィードバックプロセッサ６１０はまた、ＣＣを介して送信のためのフィードバックを与えるためのフィードバック構成を受信し得、ここにおいて、フィードバック構成は、ＣＣＡ免除フィードバック送信、ＣＣＡ順守フィードバック送信、またはそれらの組合せ中でフィードバックを与えることを示す。フィードバックプロセッサ６１０はまた、識別されたＴＴＩに関係するアップリンク送信ウィンドウのタイミング特性に少なくとも部分的に基づいて、第１のＣＳＩフィードバックを送信するために、明示された持続時間中の１つまたは複数のアップリンク送信ウィンドウのうちのアップリンク送信ウィンドウを決定し得る。フィードバックプロセッサ６１０はまた、アップリンク送信ウィンドウ中に第１のＣＳＩフィードバックを送信するためにＣＳＩフィードバック送信プロシージャを実行し得る。いくつかの例では、ＣＳＩフィードバック送信プロシージャは、第１のＣＣＡ順守フィードバック送信プロシージャに少なくとも部分的に基づいて、１つまたは複数のチャネルの成功した予約時に第１のＣＳＩフィードバックを送信することを備える。いくつかの例では、タイミング特性は、アップリンク送信ウィンドウが、識別されたＴＴＩの時間しきい値内にあることを備える。いくつかの例では、タイミング特性は、アップリンク送信ウィンドウが、識別されたＴＴＩを含むことを備える。いくつかの場合には、ＣＳＩフィードバック送信は、フレーム、サブフレーム、またはシンボル境界と整合され得る。他の場合には、ＣＳＩフィードバックは、無線境界と非同期的に送信され得る。
【００７１】
[0079]図７は、本開示の様々な態様による、ＣＣ（たとえば、スタンドアロン動作でのｅＣＣなど）のためのチャネルフィードバック報告のためのワイヤレスデバイス５００またはワイヤレスデバイス６００の構成要素であり得る、フィードバック報告マネージャ５１０−ｂのブロック図７００を示す。フィードバック報告マネージャ５１０−ｂは、図５〜図６を参照しながら説明されたフィードバック報告マネージャ５１０の態様の一例であり得る。フィードバック報告マネージャ５１０−ｂは、通信マネージャ６０５−ａとフィードバックプロセッサ６１０−ａとを含み得る。これらのモジュールの各々は、図６を参照しながら説明された機能を実行し得る。フィードバック報告マネージャ５１０−ｂはまた、チャネル品質マネージャ７０５と、チャネルモニタ７１０と、フィードバックレポータ７１５とを含み得る。
【００７２】
[0080]チャネル品質マネージャ７０５は、図２〜図４を参照しながら説明されたように、データ送信に関連する１つまたは複数の基準信号のチャネル測定に少なくとも部分的に基づいて、後続のデータ送信のためのターゲットＭＣＳを決定し得る。チャネル品質マネージャ７０５はまた、現在のＭＣＳとターゲットＭＣＳとの間のチャネル品質デルタを決定し得る。いくつかの例では、１つまたは複数の基準信号は、ＣＲＳ、ＤＭ−ＲＳ、ＵＥ−ＲＳ、またはそれらの組合せのうちのいずれかを備える。いくつかの例では、後続のデータ送信のためのターゲットＭＣＳを決定することは、ＣＲＳと現在のプリコーディング行列とに少なくとも部分的に基づいて、ｅＮＢからのチャネルの品質を推定することを備える。いくつかの例では、後続のデータ送信のためのターゲットＭＣＳを決定することは、ＣＲＳと仮定候補プリコーディング行列とに少なくとも部分的に基づいて、ｅＮＢからのチャネルの品質を推定することを備える。チャネル品質マネージャ７０５はまた、循環的送信パターンに少なくとも部分的に基づいて、１つまたは複数のチャネルについてのチャネル測定を実行し得る。
【００７３】
[0081]チャネルモニタ７１０は、図２〜図４を参照しながら説明されたように、データ送信のための現在のＭＣＳを識別し得る。いくつかの例では、ＣＳＩフィードバック送信プロシージャは、第１のＣＣＡ順守フィードバック送信プロシージャに少なくとも部分的に基づいて、１つまたは複数のチャネルが第１のアップリンクＴＴＩ中にビジーであると決定することを備える。チャネルモニタ７１０はまた、ＣＣのためのＤＲＳ構成を識別し得、ＤＲＳ構成は、１つまたは複数のチャネル中で送信される基準信号のための循環的送信パターンを示す。チャネルモニタは、さらに、ＣＳＩフィードバック構成に少なくとも部分的に基づいて、共有周波数帯域上でスタンドアロン動作モードで動作するＣＣのための第１のＣＳＩフィードバックを送信することに関連するＴＴＩを識別し得る。
【００７４】
[0082]フィードバックレポータ７１５は、図２〜図４を参照しながら説明されたように、ＣＳＩフィードバック送信プロシージャが、アップリンク送信ウィンドウの第１のアップリンクＴＴＩ中に１つまたは複数のチャネル上で第１のＣＣＡ順守フィードバック送信プロシージャを実行することを含み得るように構成され得る。いくつかの例では、ＣＳＩフィードバック送信プロシージャは、アップリンク送信ウィンドウの第２の後続のアップリンクＴＴＩ中に１つまたは複数のチャネル上で第２のＣＣＡ順守フィードバック送信プロシージャを実行することを備える。いくつかの場合には、フィードバックレポータ７１５は、別個であり、ＣＳＩ報告を送信する他のデバイスと干渉しない、リソースを使用して、ＣＳＩフィードバックを報告するように構成され得る。
【００７５】
[0083]図８は、本開示の様々な態様による、ＣＣ（たとえば、スタンドアロン動作でのｅＣＣなど）のためのチャネルフィードバック報告のために構成されたＵＥ１１５−ｃを含むシステム８００の図を示す。システム８００は、図１、図２および図５〜図７を参照しながら説明されたワイヤレスデバイス５００、ワイヤレスデバイス６００、ＵＥ１１５、または基地局１０５の一例であり得る、ＵＥ１１５−ｃを含み得る。ＵＥ１１５−ｃは、図５〜図７を参照しながら説明されたフィードバック報告マネージャ５１０の一例であり得る、フィードバック報告モジュール８１０を含み得る。ＵＥ１１５−ｃは、通信を送信するための構成要素と通信を受信するための構成要素とを含む、双方向音声およびデータ通信のための構成要素をも含み得る。たとえば、ＵＥ１１５−ｃは、基地局１０５−ｂまたはＵＥ１１５−ｄと双方向に通信し得る。
【００７６】
[0084]ＵＥ１１５−ｃはまた、プロセッサ８０５と、（ソフトウェア（ＳＷ）を含む）８２０メモリ８１５と、トランシーバ８３５と、１つまたは複数のアンテナ８４０とを含み得、その各々は、（たとえば、バス８４５を介して）互いに直接または間接的に通信し得る。トランシーバ８３５は、上記で説明されたように、（１つまたは複数の）アンテナ８４０あるいはワイヤードリンクまたはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｃは単一のアンテナ８４０を含み得るが、ＵＥ１１５−ｃはまた、複数のワイヤレス送信をコンカレントに送信または受信することが可能な複数のアンテナ８４０を有し得る。
【００７７】
[0085]メモリ８１５は、ランダムアクセスメモリ（ＲＡＭ）および読取り専用メモリ（ＲＯＭ）を含み得る。メモリ８１５は、実行されたとき、プロセッサ８０５に本明細書で説明される様々な機能（たとえば、ｅＣＣのためのＣＱＩフィードバック報告など）を実行させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明される機能を実行させ得る。プロセッサ８０５は、インテリジェントハードウェアデバイス（たとえば、中央処理ユニット（ＣＰＵ）、マイクロコントローラ、特定用途向け集積回路（ＡＳＩＣ）など）を含み得る。
【００７８】
[0086]図９は、本開示の様々な態様による、ＣＣ（たとえば、スタンドアロン動作でのｅＣＣなど）のためのチャネルフィードバックを管理および処理するために構成された基地局１０５−ｃを含むシステム９００の図を示す。システム９００は、図１、図２および図６〜図８を参照しながら説明された基地局１０５の一例であり得る、基地局１０５−ｃを含み得る。基地局１０５−ｃは、ＣＣのためのチャネルフィードバック報告のためにＵＥ１１５を構成し、ＵＥ１１５から受信されたチャネルフィードバックを処理し得る。たとえば、基地局１０５−ｃは、チャネルフィードバックに基づいて、ＵＥ１１５との将来の通信のための送信ストラテジー、ＭＣＳなどを決定し得る。基地局１０５−ｃは、通信を送信するための構成要素と通信を受信するための構成要素とを含む、双方向音声およびデータ通信のための構成要素をも含み得る。たとえば、基地局１０５−ｃは、基地局１０５−ｄ、基地局１０５−ｅ、ＵＥ１１５−ｅ、またはＵＥ１１５−ｆと双方向に通信し得る。
【００７９】
[0087]いくつかの場合には、基地局１０５−ｃは１つまたは複数のワイヤードバックホールリンクを有し得る。基地局１０５−ｃは、コアネットワーク１３０へのワイヤードバックホールリンク（たとえば、Ｓ１インターフェースなど）を有し得る。基地局１０５−ｃはまた、基地局間バックホールリンク（たとえば、Ｘ２インターフェース）を介して、基地局１０５−ｄおよび基地局１０５−ｅなど、他の基地局１０５と通信し得る。基地局１０５の各々は、同じまたは異なるワイヤレス通信技術を使用してＵＥ１１５と通信し得る。いくつかの場合には、基地局１０５−ｃは、基地局通信モジュール９２５を利用して１０５−ｄまたは１０５−ｅなどの他の基地局と通信し得る。いくつかの例では、基地局通信モジュール９２５は、基地局１０５のうちのいくつかの間の通信を行うために、ロングタームエボリューション（ＬＴＥ）／ＬＴＥ−Ａワイヤレス通信ネットワーク技術内のＸ２インターフェースを与え得る。いくつかの例では、基地局１０５−ｃは、コアネットワーク１３０を通して他の基地局と通信し得る。いくつかの場合には、基地局１０５−ｃは、ネットワーク通信モジュール９３０を通してコアネットワーク１３０と通信し得る。
【００８０】
[0088]基地局１０５−ｃは、プロセッサ９０５と、基地局フィードバックプロセッサ９１０と、（ソフトウェア（ＳＷ）９２０を含む）メモリ９１５と、トランシーバ９３５と、（１つまたは複数の）アンテナ９４０とを含み得、その各々は、（たとえば、バスシステム９４５を介して）直接または間接的に、互いに通信していることがある。トランシーバ９３５は、（１つまたは複数の）アンテナ９４０を介して、マルチモードデバイスであり得るＵＥ１１５と双方向に通信するように構成され得る。トランシーバ９３５（または基地局１０５−ｃの他の構成要素）はまた、アンテナ９４０を介して、１つまたは複数の他の基地局（図示せず）と双方向に通信するように構成され得る。トランシーバ９３５は、パケットを変調し、変調されたパケットを送信のためにアンテナ９４０に与え、アンテナ９４０から受信されたパケットを復調するように構成されたモデムを含み得る。基地局１０５−ｃは、各々が１つまたは複数の関連するアンテナ９４０をもつ複数のトランシーバ９３５を含み得る。トランシーバは、図５の組み合わせられた受信機５０５および送信機５１５の一例であり得る。
【００８１】
[0089]基地局フィードバックプロセッサ９１０は、図２〜図８に関して説明されたように、（たとえば、制御情報中でなど）フィードバック報告を構成およびサポートするために使用され得る。たとえば、基地局フィードバックプロセッサ９１０は、ＵＥ１１５にＣＳＩ報告ウィンドウを割り当てるために使用され得る。いくつかの場合には、基地局フィードバックプロセッサ９１０は、ＣＳＩ報告のために複数のＵＥ１１５をスケジュールするために使用され得る。たとえば、基地局フィードバックプロセッサ９１０は、別個の非干渉時間および周波数リソース（たとえば、別々の時間周波数ブロック、インターリーブされた周波数リソースなど）をＵＥ１１５のセットに割り当てるために使用され得る。割り当てられたリソースは、ＵＥ１１５によって高速フィードバックのために使用され得る。たとえば、ＵＥ１１５は、図４Ａおよび図４Ｂを参照しながら説明されたように、基地局１０５−ｃへのＣＥＴ送信を協調させるためにこのスケジューリングを使用し得る。さらに、基地局フィードバックプロセッサ９１０は、（たとえば、トランシーバ９３５を介して）非周期的報告トリガインジケータを送信することと、トリガリングに対応する基準信号をマッピングすることとを行うために使用され得る。いくつかの場合には、基地局フィードバックプロセッサ９１０は、構成された周期的時間および周波数ロケーションを使用して、基準シンボルを半静的に送信し得る。たとえば、基準信号は、ＣＣＡがそれについて成功した基地局送信に基づいて、動的に利用可能なだけであり得る。いくつかの場合には、基地局フィードバックプロセッサ９１０は、基地局フィードバックプロセッサが非周期的フィードバック要求を送るサブフレーム上でＣＳＩ−ＲＳを送り得る。基地局フィードバックプロセッサ９１０は、他のＵＥ１１５がＰＤＳＣＨレートマッチングを実行し得るように、ダウンリンク許可中でＣＳＩ−ＲＳの存在をシグナリングし得る。
【００８２】
[0090]メモリ９１５はＲＡＭおよびＲＯＭを含み得る。メモリ９１５はまた、実行されたとき、プロセッサ９０５に本明細書で説明される様々な機能（たとえば、ｅＣＣのためのＣＱＩフィードバック報告、カバレージ拡張技法を選択すること、呼処理、データベース管理、メッセージルーティングなど）を実行させるように構成された命令を含んでいるコンピュータ可読、コンピュータ実行可能ソフトウェアコード９２０を記憶し得る。代替的に、ソフトウェア９２０は、プロセッサ９０５によって直接的に実行可能でないことがあるが、たとえば、コンパイルされ実行されたとき、コンピュータに本明細書で説明される機能を実行させるように構成され得る。プロセッサ９０５は、インテリジェントハードウェアデバイス、たとえば、ＣＰＵ、マイクロコントローラ、ＡＳＩＣなどを含み得る。プロセッサ９０５は、エンコーダ、キュー処理モジュール、ベースバンドプロセッサ、無線ヘッドコントローラ、デジタル信号プロセッサ（ＤＳＰ）など、様々な専用プロセッサを含み得る。
【００８３】
[0091]基地局通信モジュール９２５は、他の基地局１０５との通信を管理し得る。いくつかの場合には、通信管理モジュールは、他の基地局１０５と協働してＵＥ１１５との通信を制御するためのコントローラまたはスケジューラを含み得る。たとえば、基地局通信モジュール９２５は、ビームフォーミングまたはジョイント送信などの様々な干渉緩和技法のためのＵＥ１１５への送信のためのスケジューリングを協調させ得る。
【００８４】
[0092]ワイヤレスデバイス５００、ワイヤレスデバイス６００、およびフィードバック報告マネージャ５１０−ｂの構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００８５】
[0093]図１０は、本開示の様々な態様による、ＣＣ（たとえば、スタンドアロン動作でのｅＣＣなど）のためのチャネルフィードバック報告のための方法１０００を示すフローチャートを示す。方法１０００の動作は、図１〜図９を参照しながら説明されたように、ＵＥ１１５または基地局１０５などのデバイスあるいはそれの構成要素によって実施され得る。たとえば、方法１０００の動作は、図５〜図８を参照しながら説明されたように、フィードバック報告マネージャ５１０によって実行され得る。いくつかの例では、デバイスは、以下で説明される機能を実行するようにデバイスの機能要素を制御するためのコードのセットを実行し得る。追加または代替として、デバイスは、専用ハードウェアを使用して、以下で説明される機能態様を実行し得る。
【００８６】
[0094]ブロック１００５において、デバイスは、図２〜図４を参照しながら説明されたように、共有周波数帯域の周波数チャネル上でｅＮＢと通信する。いくつかの例では、ブロック１００５の動作は、図６を参照しながら説明されたように、通信マネージャ６０５によって実行され得る。
【００８７】
[0095]ブロック１０１０において、デバイスは、図２〜図４を参照しながら説明されたように、共有周波数帯域の周波数チャネル上でｅＮＢからデータ送信を受信する。いくつかの例では、ブロック１０１０の動作は、図５を参照しながら説明されたように、受信機５０５によって実行され得る。
【００８８】
[0096]ブロック１０１５において、デバイスは、図２〜図４を参照しながら説明されたように、データ送信のためのＡＣＫ／ＮＡＣＫ情報を決定する。いくつかの例では、ブロック１０１５の動作は、図６を参照しながら説明されたように、フィードバックプロセッサ６１０によって実行され得る。
【００８９】
[0097]ブロック１０２０において、デバイスは、図２〜図４を参照しながら説明されたように、共有周波数帯域の周波数チャネルを介してＣＣＡ免除フィードバック送信中でＡＣＫ／ＮＡＣＫ情報をｅＮＢに送信し、ここにおいて、ＡＣＫ／ＮＡＣＫ情報は、ＣＣＡ免除フィードバック送信のためのアップリンク制御チャネル構造の指定されたリソースにマッピングされる。いくつかの例では、ブロック１０２０の動作は、図５を参照しながら説明されたように、送信機５１５によって実行され得る。
【００９０】
[0098]図１１は、本開示の様々な態様による、ＣＣ（たとえば、スタンドアロン動作でのｅＣＣなど）のためのチャネルフィードバック報告のための方法１１００を示すフローチャートを示す。方法１１００の動作は、図１〜図９を参照しながら説明されたように、ＵＥ１１５または基地局１０５などのデバイスあるいはそれの構成要素によって実施され得る。たとえば、方法１１００の動作は、図５〜図８を参照しながら説明されたように、フィードバック報告マネージャ５１０によって実行され得る。いくつかの例では、デバイスは、以下で説明される機能を実行するようにデバイスの機能要素を制御するためのコードのセットを実行し得る。追加または代替として、デバイスは、専用ハードウェアを使用して、以下で説明される機能態様を実行し得る。方法１１００はまた、図１０の方法１０００の態様を組み込み得る。
【００９１】
[0099]ブロック１１０５において、デバイスは、図２〜図４を参照しながら説明されたように、共有周波数帯域上のＣＣを使用してｅＮＢと通信する。いくつかの例では、ブロック１１０５の動作は、図６を参照しながら説明されたように、通信マネージャ６０５によって実行され得る。
【００９２】
[0100]ブロック１１１０において、デバイスは、図２〜図４を参照しながら説明されたように、ＣＣ上でｅＮＢからデータ送信を受信する。いくつかの例では、ブロック１１１０の動作は、図５を参照しながら説明されたように、受信機５０５によって実行され得る。
【００９３】
[0101]ブロック１１１５において、デバイスは、図２〜図４を参照しながら説明されたように、データ送信のためのＡＣＫ／ＮＡＣＫ情報を決定する。いくつかの例では、ブロック１１１５の動作は、図６を参照しながら説明されたように、フィードバックプロセッサ６１０によって実行され得る。
【００９４】
[0102]ブロック１１２０において、デバイスは、図２〜図４を参照しながら説明されたように、アップリンクスケジューリングフィードバックまたはＣＳＩフィードバックを決定する。ＣＳＩフィードバックを決定することは、データ送信に関連する１つまたは複数の基準信号のチャネル測定に少なくとも部分的に基づいて、後続のアップリンクデータ送信のためのターゲットＭＣＳを決定することを含み得る。いくつかの例では、ブロック１１２０の動作は、図６および図７を参照しながら説明されたように、フィードバックプロセッサ６１０および／またはチャネル品質マネージャ７０５によって実行され得る。
【００９５】
[0103]ブロック１１２５において、デバイスは、図２〜図４を参照しながら説明されたように、ＣＣを介してＣＣＡ免除フィードバック送信中でＡＣＫ／ＮＡＣＫ情報をｅＮＢに送信し、ここにおいて、ＡＣＫ／ＮＡＣＫ情報は、ＣＣＡ免除フィードバック送信のためのアップリンク制御チャネル構造の指定されたリソースにマッピングされる。いくつかの場合には、デバイスは、図２〜図４を参照しながら説明されたように、ＣＣＡ免除フィードバック送信中でアップリンクスケジューリングフィードバックまたはＣＳＩフィードバックを送信し得る。いくつかの場合には、送信されたＣＳＩフィードバックは、決定されたターゲットＭＣＳに関連するインジケータを備える。いくつかの例では、ブロック１１２５の動作は、図５を参照しながら説明されたように、送信機５１５によって実行され得る。
【００９６】
[0104]図１２は、本開示の様々な態様による、ＣＣ（たとえば、スタンドアロン動作でのｅＣＣなど）のためのチャネルフィードバック報告のための方法１２００を示すフローチャートを示す。方法１２００の動作は、図１〜図９を参照しながら説明されたように、ＵＥ１１５または基地局１０５などのデバイスあるいはそれの構成要素によって実施され得る。たとえば、方法１２００の動作は、図５〜図８を参照しながら説明されたように、フィードバック報告マネージャ５１０によって実行され得る。いくつかの例では、デバイスは、以下で説明される機能を実行するようにデバイスの機能要素を制御するためのコードのセットを実行し得る。追加または代替として、デバイスは、専用ハードウェアを使用して、以下で説明される機能態様を実行し得る。方法１２００はまた、図１０〜図１１の方法１０００、および１１００の態様を組み込み得る。
【００９７】
[0105]ブロック１２０５において、デバイスは、図２〜図４を参照しながら説明されたように、ＣＳＩフィードバック構成に少なくとも部分的に基づいて、共有周波数帯域上でスタンドアロン動作モードで動作するＣＣのための第１のＣＳＩフィードバックを送信することに関連するＴＴＩを識別する。いくつかの例では、ブロック１２０５の動作は、図７を参照しながら説明されたように、チャネルモニタ７２０によって実行され得る。
【００９８】
[0106]ブロック１２１０において、デバイスは、図２〜図４を参照しながら説明されたように、ＣＣを介した通信のために共有周波数帯域の１つまたは複数のチャネルを予約する、ｅＮＢからの送信を識別し、送信は、明示された持続時間にわたるＣＣのためのＴＤＤ構成を識別する。いくつかの例では、ブロック１２１０の動作は、図６を参照しながら説明されたように、通信マネージャ６０５によって実行され得る。
【００９９】
[0107]ブロック１２１５において、デバイスは、図２〜図４を参照しながら説明されたように、識別されたＴＴＩに関係するアップリンク送信ウィンドウのタイミング特性に少なくとも部分的に基づいて、第１のＣＳＩフィードバックを送信するために、明示された持続時間中の１つまたは複数のアップリンク送信ウィンドウのうちのアップリンク送信ウィンドウを決定する。いくつかの例では、ブロック１２１５の動作は、図６を参照しながら説明されたように、フィードバックプロセッサ６１０によって実行され得る。
【０１００】
[0108]ブロック１２２０において、デバイスは、図２〜図４を参照しながら説明されたように、アップリンク送信ウィンドウ中に第１のＣＳＩフィードバックを送信するためにＣＳＩフィードバック送信プロシージャを実行する。いくつかの例では、ブロック１２２０の動作は、図６を参照しながら説明されたように、フィードバックプロセッサ６１０によって実行され得る。
【０１０１】
[0109]したがって、方法１０００、１１００、および１２００は、ｅＣＣのためのＣＱＩフィードバック報告を与え得る。方法１０００、１１００、および１２００は可能な実装形態を表すこと、ならびに動作およびステップは、他の実装形態が可能であるように、並べ替えられるかまたは場合によっては変更され得ることに留意されたい。いくつかの例では、方法１０００、１１００、および１２００のうちの２つまたはそれ以上からの態様が組み合わせられ得る。
【０１０２】
[0110]本明細書の説明は、例を与えるものであり、特許請求の範囲に記載された範囲、適用可能性、または例を限定するものではない。本開示の範囲から逸脱することなく、説明された要素の機能および構成において変更が行われ得る。様々な例は、適宜に様々なプロシージャまたは構成要素を省略、置換、または追加し得る。また、いくつかの例に関して説明された特徴は、他の例において組み合わせられ得る。
【０１０３】
[0111]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。符号分割多元接続（ＣＤＭＡ）システムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、モバイル通信用グローバルシステム（ＧＳＭ（登録商標）：Global System for Mobile Communications）などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ）およびＬＴＥアドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術のために使用され得る。ただし、本明細書の説明では、例としてＬＴＥシステムについて説明し、上記の説明の大部分においてＬＴＥ用語が使用されるが、本技法はＬＴＥ適用例以外に適用可能である。
【０１０４】
[0112]本明細書で説明されたようなネットワークを含む、ＬＴＥ／ＬＴＥ−ａネットワークでは、発展型ノードＢ（ｅＮＢ）という用語は、概して、基地局を表すために使用され得る。本明細書で説明された１つまたは複数のワイヤレス通信システムは、異なるタイプのｅＮＢが様々な地理的領域にカバレージを与える、異種ＬＴＥ／ＬＴＥ−ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１０５】
[0113]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明された１つまたは複数のワイヤレス通信システムは、異なるタイプの基地局（たとえば、マクロセル基地局またはスモールセル基地局）を含み得る。本明細書で説明されたＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１０６】
[0114]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１０７】
[0115]本明細書で説明された１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明された技法は、同期動作または非同期動作のいずれかのために使用され得る。
【０１０８】
[0116]本明細書で説明されたダウンリンク送信は順方向リンク送信と呼ばれることもあり、アップリンク送信は逆方向リンク送信と呼ばれることもある。たとえば、図１および図２のワイヤレス通信システム１００およびワイヤレス通信サブシステム２００を含む、本明細書で説明された各通信リンクは、１つまたは複数のキャリアを含み得、ここで、各キャリアは、複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。本明細書で説明された通信リンク（たとえば、図１の通信リンク１２５）は、周波数分割複信（ＦＤＤ）動作を使用して（たとえば、対スペクトルリソースを使用して）またはＴＤＤ動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１０９】
[0117]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１１０】
[0118]添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０１１１】
[0119]本明細書で説明された情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１２】
[0120]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１１３】
[0121]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１１４】
[0122]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１１５】
[0123]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願の出願当初の特許請求の範囲に記載された発明を付記する。
［Ｃ１］
ユーザ機器（ＵＥ）におけるワイヤレス通信の方法であって、
共有周波数帯域の周波数チャネル上で発展型ノードＢ（ｅＮＢ）と通信することと、  前記共有周波数帯域の前記周波数チャネル上で前記ｅＮＢからデータ送信を受信することと、
前記データ送信のための肯定応答／否定応答（ＡＣＫ／ＮＡＣＫ）情報を決定することと、
前記共有周波数帯域の前記周波数チャネルを介してクリアチャネルアセスメント（ＣＣＡ）免除フィードバック送信中で前記ＡＣＫ／ＮＡＣＫ情報を前記ｅＮＢに送信すること、ここにおいて、前記ＡＣＫ／ＮＡＣＫ情報が、前記ＣＣＡ免除フィードバック送信のためのアップリンク制御チャネル構造の指定されたリソースにマッピングされる、と
を備える、方法。
［Ｃ２］
アップリンクスケジューリングフィードバックまたはチャネル状態情報（ＣＳＩ）フィードバックを決定することと、
前記ＣＣＡ免除フィードバック送信中で前記アップリンクスケジューリングフィードバックまたは前記ＣＳＩフィードバックを送信することと
をさらに備える、Ｃ１に記載の方法。
［Ｃ３］
前記データ送信に関連する１つまたは複数の基準信号のチャネル測定に少なくとも部分的に基づいて、後続のデータ送信のためのターゲット変調およびコーディング方式（ＭＣＳ）を決定することをさらに備え、
ここにおいて、前記送信されたＣＳＩフィードバックが、前記ターゲットＭＣＳに関連するインジケータを備える、
Ｃ２に記載の方法。
［Ｃ４］
前記データ送信のための現在のＭＣＳを識別することと、
前記現在のＭＣＳと前記ターゲットＭＣＳとの間のチャネル品質デルタを決定することとをさらに備え、
ここにおいて、前記ターゲットＭＣＳに関連する前記インジケータが前記チャネル品質デルタを備える、
Ｃ３に記載の方法。
［Ｃ５］
前記１つまたは複数の基準信号が、セル固有基準信号（ＣＲＳ）、復調基準信号（ＤＭ−ＲＳ）、ＵＥ固有基準信号（ＵＥ−ＲＳ）、またはそれらの組合せのうちのいずれかを備える、Ｃ３に記載の方法。
［Ｃ６］
前記後続のデータ送信のための前記ターゲットＭＣＳを前記決定することが、前記データ送信のための識別されたプリコーディング行列と前記ＣＲＳとに少なくとも部分的に基づいて、前記ｅＮＢからのチャネルの品質を推定することを備える、Ｃ５に記載の方法。
［Ｃ７］
前記アップリンク制御チャネル構造が、前記共有周波数帯域の前記周波数チャネルの周波数リソースのサブセットを備える、Ｃ１に記載の方法。
［Ｃ８］
前記ＣＣＡ免除フィードバック送信の開始が、前記データ送信の終了から所定のＣＣＡ時間期間未満に発生する、Ｃ１に記載の方法。
［Ｃ９］
前記共有周波数帯域の前記周波数チャネルが、スタンドアロン動作モードで前記ＵＥのために構成された拡張コンポーネントキャリア（ｅＣＣ）を備える、Ｃ１に記載の方法。
［Ｃ１０］
前記共有周波数帯域の前記周波数チャネル上で送信のためのフィードバックを与えるためのフィードバック構成を受信することをさらに備え、ここにおいて、前記フィードバック構成が、前記ＣＣＡ免除フィードバック送信、ＣＣＡ順守フィードバック送信、またはそれらの組合せ中で前記フィードバックを与えることを示す、
Ｃ１に記載の方法。
［Ｃ１１］
ユーザ機器（ＵＥ）におけるワイヤレス通信の方法であって、
チャネル状態情報（ＣＳＩ）フィードバック構成に少なくとも部分的に基づいて、共有周波数帯域上でスタンドアロン動作モードで動作するコンポーネントキャリア（ＣＣ）のための第１のＣＳＩフィードバックを送信することに関連する送信時間間隔（ＴＴＩ）を識別することと、
前記ＣＣを介した通信のために前記共有周波数帯域の１つまたは複数のチャネルを予約する、発展型ノードＢ（ｅＮＢ）からの送信を識別すること、前記送信が、明示された持続時間にわたる前記ＣＣのための時分割複信（ＴＤＤ）構成を識別する、と、
前記識別されたＴＴＩに関係するアップリンク送信ウィンドウのタイミング特性に少なくとも部分的に基づいて、前記第１のＣＳＩフィードバックを送信するために、前記明示された持続時間中の１つまたは複数のアップリンク送信ウィンドウのうちの前記アップリンク送信ウィンドウを決定することと、
前記アップリンク送信ウィンドウ中に前記第１のＣＳＩフィードバックを送信するためにＣＳＩフィードバック送信プロシージャを実行することと
を備える、方法。
［Ｃ１２］
前記ＣＳＩフィードバック送信プロシージャが、前記アップリンク送信ウィンドウの第１のアップリンクＴＴＩ中に前記１つまたは複数のチャネル上で第１のクリアチャネルアセスメント（ＣＣＡ）順守フィードバック送信プロシージャを実行することを備える、Ｃ１１に記載の方法。
［Ｃ１３］
前記ＣＳＩフィードバック送信プロシージャが、前記第１のＣＣＡ順守フィードバック送信プロシージャに少なくとも部分的に基づいて、前記１つまたは複数のチャネルの成功した予約時に前記第１のＣＳＩフィードバックを送信することを備える、Ｃ１２に記載の方法。
［Ｃ１４］
前記ＣＳＩフィードバック送信プロシージャは、前記第１のＣＣＡ順守フィードバック送信プロシージャに少なくとも部分的に基づいて、前記１つまたは複数のチャネルが前記第１のアップリンクＴＴＩ中にビジーであると決定することを備え、
前記ＣＳＩフィードバック送信プロシージャが、前記アップリンク送信ウィンドウの第２の後続のアップリンクＴＴＩ中に前記１つまたは複数のチャネル上で第２のＣＣＡ順守フィードバック送信プロシージャを実行することを備える、Ｃ１２に記載の方法。
［Ｃ１５］
前記ＣＣのための発見基準信号（ＤＲＳ）構成を識別すること、前記ＤＲＳ構成が、前記１つまたは複数のチャネル中で送信される基準信号のための循環的送信パターンを示す、と、
前記循環的送信パターンに少なくとも部分的に基づいて、前記１つまたは複数のチャネルについてのチャネル測定を実行することと
をさらに備える、Ｃ１１に記載の方法。
［Ｃ１６］
前記第１のＣＳＩフィードバックが、前記１つまたは複数のチャネルに及ぶ周波数範囲のための広帯域チャネル品質を備える、Ｃ１１に記載の方法。
［Ｃ１７］
前記タイミング特性は、前記アップリンク送信ウィンドウが、前記識別されたＴＴＩの時間しきい値内にあることを備える、Ｃ１１に記載の方法。
［Ｃ１８］
前記タイミング特性は、前記アップリンク送信ウィンドウが、前記識別されたＴＴＩを含むことを備える、Ｃ１１に記載の方法。
［Ｃ１９］
共有周波数帯域の周波数チャネル上で発展型ノードＢ（ｅＮＢ）と通信するための手段と、
前記共有周波数帯域の前記周波数チャネル上で前記ｅＮＢからデータ送信を受信するための手段と、
前記データ送信のための肯定応答／否定応答（ＡＣＫ／ＮＡＣＫ）情報を決定するための手段と、
前記共有周波数帯域の前記周波数チャネルを介してクリアチャネルアセスメント（ＣＣＡ）免除フィードバック送信中で前記ＡＣＫ／ＮＡＣＫ情報を前記ｅＮＢに送信するための手段、ここにおいて、前記ＡＣＫ／ＮＡＣＫ情報が、前記ＣＣＡ免除フィードバック送信のためのアップリンク制御チャネル構造の指定されたリソースにマッピングされる、とを備える、ワイヤレス通信のための装置。
［Ｃ２０］
アップリンクスケジューリングフィードバックまたはチャネル状態情報（ＣＳＩ）フィードバックを決定するための手段をさらに備え、
ここにおいて、送信するための前記手段が、前記クリアチャネルアセスメント（ＣＣＡ）免除フィードバック送信中で前記アップリンクスケジューリングフィードバックまたは前記ＣＳＩフィードバックを送信する、
Ｃ１９に記載の装置。
［Ｃ２１］
前記データ送信に関連する１つまたは複数の基準信号のチャネル測定に少なくとも部分的に基づいて、後続のデータ送信のためのターゲット変調およびコーディング方式（ＭＣＳ）を決定するための手段をさらに備え、
ここにおいて、前記送信されたＣＳＩフィードバックが、前記ターゲットＭＣＳに関連するインジケータを備える、
Ｃ２０に記載の装置。
［Ｃ２２］
前記データ送信のための現在のＭＣＳを識別するための手段と、
前記現在のＭＣＳと前記ターゲットＭＣＳとの間のチャネル品質デルタを決定するための手段とをさらに備え、ここにおいて、前記ターゲットＭＣＳに関連する前記インジケータが前記チャネル品質デルタを備える、
Ｃ２１に記載の装置。
［Ｃ２３］
前記１つまたは複数の基準信号が、セル固有基準信号（ＣＲＳ）、復調基準信号（ＤＭ−ＲＳ）、ＵＥ固有基準信号（ＵＥ−ＲＳ）、またはそれらの組合せのうちのいずれかを備える、Ｃ２１に記載の装置。
［Ｃ２４］
前記後続のデータ送信のための前記ターゲットＭＣＳを前記決定することが、前記データ送信のための識別されたプリコーディング行列と前記ＣＲＳとに少なくとも部分的に基づいて、前記ｅＮＢからのチャネルの品質を推定することを備える、Ｃ２３に記載の装置。
［Ｃ２５］
前記共有周波数帯域の前記周波数チャネル上で送信のためのフィードバックを与えるためのフィードバック構成を受信するための手段をさらに備え、ここにおいて、前記フィードバック構成が、前記ＣＣＡ免除フィードバック送信、ＣＣＡ順守フィードバック送信、またはそれらの組合せ中で前記フィードバックを与えることを示す、
Ｃ１９に記載の装置。
［Ｃ２６］
チャネル状態情報（ＣＳＩ）フィードバック構成に少なくとも部分的に基づいて、共有周波数帯域上でスタンドアロン動作モードで動作するコンポーネントキャリア（ＣＣ）のための第１のＣＳＩフィードバックを送信することに関連する送信時間間隔（ＴＴＩ）を識別するための手段と、
前記ＣＣを介した通信のために前記共有周波数帯域の１つまたは複数のチャネルを予約する、ｅＮＢからの送信を識別するための手段、前記送信が、明示された持続時間にわたる前記ＣＣのための時分割複信（ＴＤＤ）構成を識別する、と、
前記識別されたＴＴＩに関係するアップリンク送信ウィンドウのタイミング特性に少なくとも部分的に基づいて、前記第１のＣＳＩフィードバックを送信するために、前記明示された持続時間中の１つまたは複数のアップリンク送信ウィンドウのうちの前記アップリンク送信ウィンドウを決定するための手段と、
前記アップリンク送信ウィンドウ中に前記第１のＣＳＩフィードバックを送信するためにＣＳＩフィードバック送信プロシージャを実行するための手段と
を備える、ワイヤレス通信のための装置。
［Ｃ２７］
前記ＣＳＩフィードバック送信プロシージャを実行するための前記手段が、前記アップリンク送信ウィンドウの第１のアップリンクＴＴＩ中に前記１つまたは複数のチャネル上で第１のクリアチャネルアセスメント（ＣＣＡ）順守フィードバック送信プロシージャを実行する、Ｃ２６に記載の装置。
［Ｃ２８］
前記ＣＳＩフィードバック送信プロシージャを実行するための前記手段が、前記第１のＣＣＡ順守フィードバック送信プロシージャに少なくとも部分的に基づいて、前記１つまたは複数のチャネルの成功した予約時に前記第１のＣＳＩフィードバックを送信する、Ｃ２７に記載の装置。
［Ｃ２９］
前記ＣＳＩフィードバック送信プロシージャを実行するための前記手段は、
前記第１のＣＣＡ順守フィードバック送信プロシージャに少なくとも部分的に基づいて、前記１つまたは複数のチャネルが前記第１のアップリンクＴＴＩ中にビジーであると決定し、
前記アップリンク送信ウィンドウの第２の後続のアップリンクＴＴＩ中に前記１つまたは複数のチャネル上で第２のＣＣＡ順守フィードバック送信プロシージャを実行する、Ｃ２７に記載の装置。
［Ｃ３０］
前記ＣＣのための発見基準信号（ＤＲＳ）構成を識別するための手段、前記ＤＲＳ構成が、前記１つまたは複数のチャネル中で送信される基準信号のための循環的送信パターンを示す、と、
前記循環的送信パターンに少なくとも部分的に基づいて、前記１つまたは複数のチャネルについてのチャネル測定を実行するための手段と
をさらに備える、Ｃ２６に記載の装置。
【図１】
0006449488.tif 000002
【図２】
0006449488.tif 000003
【図３Ａ】
0006449488.tif 000004
【図３Ｂ】
0006449488.tif 000005
【図４Ａ】
0006449488.tif 000006
【図４Ｂ】
0006449488.tif 000007
【図５】
0006449488.tif 000008
【図６】
0006449488.tif 000009
【図７】
0006449488.tif 000010
【図８】
0006449488.tif 000011
【図９】
0006449488.tif 000012
【図１０】
0006449488.tif 000013
【図１１】
0006449488.tif 000014
【図１２】
0006449488.tif 000015